(57)【要約】【課題】  眼球装着可能デバイスおよび表示デバイスの両方と通信するためのリーダが提供される。【解決手段】  リーダは、眼球装着可能デバイスの一部であるタグに無線周波数電力を伝送することができる。リーダは、第１のプロトコルを使用してタグと通信することができる。タグと通信することは、タグにデータを要求すること、および要求したデータをタグから受信することを、リーダに実行させることを含み得る。リーダは、受信したデータを処理することができる。リーダは、処理されたデータを記憶することができる。リーダは、第２のプロトコルを使用して表示デバイスと通信することが可能であり、第１と第２のプロトコルは異なり得る。表示デバイスと通信することは、リーダに、記憶されたデータを表示デバイスに伝送させることを含み得る。前記表示デバイスは、伝送されたデータを受信し、伝送されたデータを処理し、伝送および／または処理されたデータを含む１つまたは複数の表示を生成することができる。【選択図】図２Ａ
2018015563.tif 000002
【特許請求の範囲】
【請求項１】
リーダによって、無線周波数（ＲＦ）電力をタグに伝送することであって、前記タグは眼球装着可能デバイスの一部である、伝送すること、
前記リーダによって、第１のプロトコルを使用して前記タグと通信することであって、前記タグと通信することは、
前記タグにデータを要求すること、および
前記要求したデータを前記タグから受信すること、
を含む、通信すること、
前記タグからの前記受信したデータを、前記リーダで処理すること、
前記リーダを使用して、前記処理されたデータを記憶すること、ならびに、
前記リーダによって、第２のプロトコルを使用して表示デバイスと通信することであって、前記表示デバイスと通信することは前記記憶されたデータを前記表示デバイスに伝送することを含み、前記第１のプロトコルは前記第２のプロトコルとは異なる、通信すること、
を含む、方法。
【請求項２】
前記表示デバイスと通信することは、前記記憶されたデータに関する要求を前記表示デバイスから受信することを含む、請求項１に記載の方法。
【請求項３】
ＲＦ電力を前記タグに伝送する時に、前記リーダは前記タグから所定の距離内にある、請求項１に記載の方法。
【請求項４】
前記タグと通信することは、
前記第１のプロトコルを使用して前記タグの識別子（ＩＤ）に関する要求を送信すること、および、
前記タグの前記ＩＤに関する前記要求に応答して、前記タグの前記ＩＤを含むメッセージを受信すること、
をさらに含む、請求項１に記載の方法。
【請求項５】
前記タグにデータを要求することは、前記タグに１つまたは複数のセンサ測定を要求することを含む、請求項１に記載の方法。
【請求項６】
前記タグからの前記受信したデータを処理することは、
前記１つまたは複数のセンサ測定に基づいて涙液膜ブドウ糖濃度を決定すること、
を含む、請求項５に記載の方法。
【請求項７】
前記涙液膜ブドウ糖濃度に基づいて血中ブドウ糖濃度を決定すること、
をさらに含む、請求項６に記載の方法。
【請求項８】
前記血中ブドウ糖濃度を前記表示デバイス上に表示すること、
をさらに含む、請求項７に記載の方法。
【請求項９】
前記リーダは、前記１つまたは複数のセンサ測定を要求する前に、少なくとも所定の期間、前記ＲＦ電力を前記タグに伝送する、請求項５に記載の方法。
【請求項１０】
前記第１のプロトコルは無線周波数識別（ＲＦＩＤ）プロトコルであり、前記第２のプロトコルはＢｌｕｅｔｏｏｔｈプロトコルである、請求項１に記載の方法。
【請求項１１】
前記リーダは頭部装着可能デバイス（ＨＭＤ）の一部である、請求項１に記載の方法。
【請求項１２】
コンピューティングデバイスのプロセッサによって実行された時に、
無線周波数（ＲＦ）電力をタグに伝送することであって、前記タグは眼球装着可能デバイスの一部である、伝送すること、
第１のプロトコルを使用して前記タグと通信することであって、前記タグと通信することは、
前記タグにデータを要求すること、および
前記要求したデータを前記タグから受信すること、
を含む、通信すること、
前記タグからの前記受信したデータを処理すること、
前記処理されたデータを記憶すること、ならびに、
第２のプロトコルを使用して表示デバイスと通信することであって、前記表示デバイスと通信することは前記記憶されたデータを前記表示デバイスに伝送することを含み、前記第１のプロトコルは前記第２のプロトコルとは異なる、通信すること、
を含む機能を、前記コンピューティングデバイスに実行させるプログラム命令を記憶している、非一時的コンピュータ可読記憶媒体。
【請求項１３】
前記コンピューティングデバイスは、ＲＦ電力を前記タグに伝送する時に前記タグから所定の距離内にある、請求項１２に記載の非一時的コンピュータ可読記憶媒体。
【請求項１４】
前記タグにデータを要求することは、前記タグに１つまたは複数のセンサ測定を要求することを含み、前記タグからの前記受信したデータを処理することは、前記１つまたは複数のセンサ測定に基づいて涙液膜ブドウ糖濃度を決定することを含む、請求項１２に記載の非一時的コンピュータ可読記憶媒体。
【請求項１５】
前記コンピューティングデバイスは、前記１つまたは複数のセンサ測定を要求する前に、少なくとも所定の期間、前記ＲＦ電力を前記タグに伝送する、請求項１４に記載の非一時的コンピュータ可読記憶媒体。
【請求項１６】
前記第１のプロトコルは無線周波数識別（ＲＦＩＤ）プロトコルであり、前記第２のプロトコルはＢｌｕｅｔｏｏｔｈプロトコルである、請求項１２に記載の非一時的コンピュータ可読記憶媒体。
【請求項１７】
アンテナと、
プロセッサと、
非一時的コンピュータ可読媒体と、
を備えるコンピューティングデバイスであって、前記非一時的コンピュータ可読媒体は、  前記プロセッサによって実行された時に、
前記アンテナを使用して無線周波数（ＲＦ）電力をタグに伝送することであって、前記タグは眼球装着可能デバイスの一部である、伝送すること、
第１のプロトコルを使用して前記タグと通信することであって、前記タグと通信することは、
前記タグにデータを要求すること、および
前記要求したデータを前記タグから受信すること、
を含む、通信すること、
前記タグからの前記受信したデータを処理すること、
前記処理されたデータを記憶すること、ならびに、
第２のプロトコルを使用して表示デバイスと通信することであって、前記表示デバイスと通信することは前記記憶されたデータを前記表示デバイスに伝送することを含み、前記第１のプロトコルは前記第２のプロトコルとは異なる、通信すること、
を含む機能を、前記コンピューティングデバイスに実行させる命令を記憶している、
コンピューティングデバイス。
【請求項１８】
前記コンピューティングデバイスは、ＲＦ電力を前記タグに伝送する時に前記タグから所定の距離内にある、請求項１７に記載のコンピューティングデバイス。
【請求項１９】
前記タグにデータを要求することは、前記タグに１つまたは複数のセンサ測定を要求することを含み、前記コンピューティングデバイスは、前記１つまたは複数のセンサ測定を要求する前に、少なくとも所定の期間、前記ＲＦ電力を前記タグに伝送し、前記タグからの前記受信したデータを処理することは、前記１つまたは複数のセンサ測定に基づいて涙液膜ブドウ糖濃度を決定することを含む、請求項１７に記載のコンピューティングデバイス。
【請求項２０】
少なくとも前記第１のプロトコルおよび前記第２のプロトコルを使用して通信するように構成された少なくとも１つのトランシーバをさらに備え、前記第１のプロトコルは無線周波数識別（ＲＦＩＤ）プロトコルであり、前記第２のプロトコルはＢｌｕｅｔｏｏｔｈプロトコルである、請求項１７に記載のコンピューティングデバイス。
【発明の詳細な説明】
【背景技術】
【０００１】
本明細書に別段に示されていない限り、本セクションで説明される材料は本出願の特許請求の範囲に対して従来技術ではなく、本セクションに含めることによって従来技術であるものとは認められない。
【０００２】
電気化学アンペロメトリックセンサは、センサの作用電極での検体の電気化学的酸化または還元反応を介して生成される電流を測定することによって、検体の濃度を測定する。還元反応は、電子が電極から検体へ移動した場合に生じるが、酸化反応は、電子が検体から電極へ移動した場合に生じる。電子移動の方向は、作用電極に印加される電位に依存する。作用電極を備える回路を完成させ、生成された電流を流すために、対電極および／または参照電極が使用される。作用電極が適切にバイアスされた場合、作用電極周囲の検体の濃度の尺度を提供するために、出力電流は反応速度に比例し得る。
【０００３】
いくつかの例において、所望の検体と選択的に反応するために、試薬が作用電極に近接して局在される。たとえば、ブドウ糖と反応して、ブドウ糖の存在を示すために作用電極によって電気化学的に検出される過酸化水素を放出するために、ブドウ糖酸化酵素を作用電極近くに固定することができる。他の酵素および／または試薬を使用して、他の検体を検出することができる。
【発明の概要】
【課題を解決するための手段】
【０００４】
本開示のある態様は方法を提供する。リーダは、無線周波電力をタグに伝送する。タグは、眼球装着可能デバイスの一部である。リーダは、第１のプロトコルを使用してタグと通信する。タグとの通信は、タグにデータを要求すること、および要求したデータをタグから受信することを含む。リーダは受信したデータを処理する。リーダは処理されたデータを記憶する。リーダは、第２のプロトコルを使用して表示デバイスと通信する。表示デバイスとの通信は、記憶されたデータを表示デバイスに伝送することを含む。第１のプロトコルは第２のプロトコルとは異なる。
【０００５】
本開示の別の態様は、非一時的コンピュータ可読記憶媒体を提供する。非一時的コンピュータ可読記憶媒体は、コンピューティングデバイスのプロセッサによる実行時に、コンピューティングデバイスに機能を実行させるプログラム命令を記憶する。機能は、無線周波数（ＲＦ）電力をタグに伝送することであって、タグは眼球装着可能デバイスの一部である、伝送すること、第１のプロトコルを使用してタグと通信することであって、タグと通信することは、タグにデータを要求することおよび要求したデータをタグから受信することを含む、通信すること、タグからの受信したデータを処理すること、処理されたデータを記憶すること、ならびに、第２のプロトコルを使用して表示デバイスと通信することであって、表示デバイスと通信することは記憶されたデータを表示デバイスに伝送することを含み、第１のプロトコルは第２のプロトコルとは異なる、通信することを含む。
【０００６】
本開示のさらに別の態様は、コンピューティングデバイスを提供する。コンピューティングデバイスは、アンテナ、プロセッサ、非一時的コンピュータ可読媒体を含む。非一時的コンピュータ可読媒体は、プロセッサによって実行された時に、コンピューティングデバイスに機能を実行させる命令を記憶する。機能は、アンテナを使用して無線周波数（ＲＦ）電力をタグに伝送することであって、タグは眼球装着可能デバイスの一部である、伝送すること、第１のプロトコルを使用してタグと通信することであって、タグと通信することは、タグにデータを要求することおよび要求したデータをタグから受信することを含む、通信すること、タグからの受信したデータを処理すること、処理されたデータを記憶すること、ならびに、第２のプロトコルを使用して表示デバイスと通信することであって、表示デバイスと通信することは記憶されたデータを表示デバイスに伝送することを含み、第１のプロトコルは第２のプロトコルとは異なる、通信することを含む。
【０００７】
これらならびに他の態様、利点、および代替は、適切な添付の図面を参照しながら以下の詳細な説明を読むことによって、当業者に明らかとなろう。
【図面の簡単な説明】
【０００８】
【図１】例示の実施形態に従った、リーダと無線通信する眼球装着可能デバイスを含む例示システムを示すブロック図である。
【図２Ａ】例示の実施形態に従った、例示の眼球装着可能デバイスを示す底面図である。
【図２Ｂ】例示の実施形態に従った、図２Ａに示される例示の眼球装着可能デバイスを示す側面図である。
【図２Ｃ】眼球の角膜表面に装着されている間の、図２Ａおよび図２Ｂに示される例示の眼球装着可能デバイスを示す垂直断面図である。
【図２Ｄ】例示の実施形態に従った、図２Ｃに示されるように装着された場合の例示の眼球装着可能デバイスの表面を取り囲む涙液膜層を示すために強調された、垂直断面図である。
【図３】例示の実施形態に従った、涙液膜検体濃度を電気化学的に測定するための例示システムを示す機能ブロック図である。
【図４Ａ】例示の実施形態に従った、経時的に一連のアンペロメトリック電流測定値を取得するためにリーダによって動作される、眼科用電気化学センサシステムを示すブロック図である。
【図４Ｂ】例示の実施形態に従った、図４Ａに関連して説明される眼科用電気化学センサシステムを示すブロック図である。
【図５】例示の実施形態に従った、２つの眼球装着可能デバイス、バンド、イヤリング、およびネックレスを着用した例示の着用者を示す図である。
【図６】例示の実施形態に従った、リーダが眼球装着可能デバイスおよび表示デバイスと通信するシナリオを示す図である。
【図７Ａ】例示の実施形態に従った、表示デバイス用のユーザインターフェースを示す例示の図である。
【図７Ｂ】例示の実施形態に従った、表示デバイス用のユーザインターフェースを示す例示の図である。
【図７Ｃ】例示の実施形態に従った、表示デバイス用のユーザインターフェースを示す例示の図である。
【図７Ｄ】例示の実施形態に従った、表示デバイス用のユーザインターフェースを示す例示の図である。
【図７Ｅ】例示の実施形態に従った、表示デバイス用のユーザインターフェースを示す例示の図である。
【図８】例示の実施形態に従った、例示の方法を示すフローチャートである。
【発明を実施するための形態】
【０００９】
Ｉ．概要
眼科用感知プラットフォームまたは埋め込み可能感知プラットフォームは、それらすべてが高分子材料に組み込まれた基板上に位置する、センサ、制御電子機器、およびアンテナを含むことができる。高分子材料は、眼球装着可能デバイスまたは埋め込み可能医療用デバイスなどの、眼科用デバイスに組み込むことができる。制御電子機器は、読み取りを実行するためにセンサを動作させること、およびアンテナを介してセンサからの読み取り値をリーダに無線で伝達するためにアンテナを動作させることが可能である。
【００１０】
いくつかの例において、高分子材料は、コンタクトレンズなどの、眼球の角膜表面に装着するように構成された凹形に湾曲した円形レンズの形とすることができる。基板は、角膜の中央部のさらに近くで受け取られる入射光への干渉を防ぐために、高分子材料の外縁付近に組み込むことができる。センサは、角膜の表面近くから、および／または高分子材料と角膜表面との間に挿入された涙液から、臨床的に関連する読み取り値を生成するように、角膜表面方向の内側に面するように基板上に配置構成することができる。追加または代替として、センサは、角膜表面とは反対の外側方向に、および大気に曝される高分子材料の表面を覆う涙液の層方向に面するように、基板上に配置構成することができる。いくつかの例において、センサは高分子材料内部に完全に組み込まれる。たとえば、作用電極および参照電極を含む電気化学センサを高分子材料内に組み込み、角膜に装着するように構成された高分子表面から１０マイクロメートル未満であるようにセンサ電極を位置付けることができる。センサは、レンズ材料を介してセンサ電極に拡散する検体の濃度を示す出力信号を生成することができる。
【００１１】
涙液は、健康状態を診断するために使用可能な、多様な無機電解質（たとえば、Ｃａ2＋、Ｍｇ2＋、Ｃｌ−）、有機成分（たとえば、ブドウ糖、乳酸、タンパク質、脂質など）などを含む。前述のセンサを含む眼科用感知プラットフォームは、これらの検体のうちの１つまたは複数を測定するように構成可能であり、したがって、健康状態の診断および／または監視に有用な便利な非侵襲性プラットフォームを提供することができる。たとえば眼科用感知プラットフォームは、ブドウ糖を感知するように構成可能であり、糖尿病患者個人が自身のブドウ糖レベルを測定／監視するために使用可能である。いくつかの実施形態において、センサは、検体レベル以外の追加または他の条件を測定するように構成可能であり、たとえばセンサは、光、温度、および電流などへと構成可能である。
【００１２】
外部リーダデバイスまたは「リーダ」は、センサに電力供給するために無線周波数放射を発することができる。リーダはそれにより、感知プラットフォームへの電力の供給を制御することによって感知プラットフォームの動作を制御することができる。いくつかの例において、リーダは、測定値を取得し結果を伝達するために感知プラットフォームに電力供給するのに十分な放射を発することによって、読み取り値を提供するように感知プラットフォームに間欠的に問い合わせるように動作可能である。リーダは、感知プラットフォームによって伝達されたセンサ結果を記憶することも可能である。このようにしてリーダは、感知プラットフォームに連続的に電力を供給することなく、一連の検体濃度測定値を経時的に獲得することができる。
【００１３】
眼科用感知プラットフォームのセンサは、無線周波数識別（ＲＦＩＤ）タグを用いて、またはその一部として構成可能である。ＲＦＩＤタグおよびリーダは、ＲＦＩＤプロトコル、たとえばＲＦＩＤ第２世代プロトコルを使用して通信可能である。ＲＦＩＤタグは、リーダから無線信号を受信するように構成可能である。いくつかの実施形態において、リーダの信号はＲＦＩＤタグとの通信およびＲＦＩＤタグへの電力供給の両方に使用可能であるが、他の実施形態では、ＲＦＩＤタグは電力供給されるデバイスとすること、たとえばタグに電力供給するバッテリを伴って構成することができる。
【００１４】
リーダは、ＲＦＩＤタグ以外のデバイスと通信可能である。可能な一例として、リーダには、Ｂｌｕｅｔｏｏｔｈ（登録商標。以下同じ。）インターフェースならびにＲＦＩＤインターフェースを装備することができる。リーダは、Ｂｌｕｅｔｏｏｔｈまたは他のプロトコルを介して、たとえば表示デバイスなどの他のデバイスと通信可能である。一例では、リーダは、ＲＦＩＤコマンド、たとえばＲＦＩＤ第２世代標準Ｒｅａｄコマンドを使用して、ＲＦＩＤタグからデータを取得することができる。データを取得すると、リーダは、データの記憶、処理、および／または、Ｂｌｕｅｔｏｏｔｈインターフェースを使用した表示デバイスなどの別のデバイスへの伝達が可能である。さらにまた、他の通信プロトコルを使用してデバイスと通信するための他のインターフェースも可能である。
例として、前述のコンタクトレンズは、ＲＦＩＤタグを含むセンサを用いて構成可能である。前述のように、センサは着用者の眼内に着用されている間、測定を行うように構成可能である。測定を行うと、センサは測定に関係するデータを記憶し、その後、リーダからの要求時にデータを送信することができる。次にリーダは、受信したデータを記憶および／または処理することができる。たとえばセンサは、着用者の眼球の涙液膜中の検体（たとえばブドウ糖）の電流測定を行い、測定された電流に関するデータをリーダに送信することができる。リーダは電流測定データを処理し、着用者に関する検体関係情報を決定することができる。
【００１５】
涙液膜検体濃度情報は、リーダから表示デバイスに送信することができる。表示デバイスは、たとえばウェアラブル、ラップトップ、デスクトップ、ハンドヘルド、またはタブレットのコンピュータ、モバイルフォン、あるいはこうしたデバイスのサブシステムとすることができる。表示デバイスは、たとえば中央処理ユニット（ＣＰＵ）などの処理システム、および、少なくともプログラム命令を記憶するように構成された非一時的コンピュータ可読媒体を含むことができる。ウェアラブルコンピュータの一例は、頭部装着可能ディスプレイ（ＨＭＤ）である。ＨＭＤは、頭部に着用可能であり、着用者の片眼または両眼の前にディスプレイを配置する、デバイスとすることができる。表示デバイスは、リーダから受信したデータを記憶し、おそらくはデータを処理し、受信および／または処理したデータに基づいて表示を生成することができる。
【００１６】
いくつかの実施形態において、リーダおよび表示デバイスは、ブドウ糖関連処理を実行するための構成データを用いて構成可能である。たとえばリーダは、様々なレベルのブドウ糖濃度に関する電流測定データなどの構成データを含むことができる。この構成データに基づき、リーダは、着用者についての涙液膜ブドウ糖濃度を決定することができる。また着用者は、着用者についての血中ブドウ糖濃度および対応する涙液膜ブドウ糖濃度を（たとえば構成中に）表示デバイスに提供することが可能であり、表示デバイスは、血中ブドウ糖濃度と涙液膜ブドウ糖濃度との間の関係を決定することができる。
【００１７】
これらの実施形態の動作中、着用者の眼内のＲＦＩＤタグは、涙液膜電流データを生成し、涙液膜電流データをリーダに送信することができる。次にリーダは、涙液膜電流データを処理して涙液膜ブドウ糖濃度を生成し、涙液膜ブドウ糖濃度を表示デバイスに送信することができる。次いで表示デバイスは、リーダから涙液膜ブドウ糖濃度を受信し、対応する血中ブドウ糖濃度を生成するように、構成可能である。特定の実施形態において、リーダまたは表示デバイスのいずれかが、涙液膜電流データを入力として採用し、血中ブドウ糖濃度を出力として生成することが可能であり、すなわちすべての処理をリーダまたは表示デバイスのいずれかで実行することが可能である。
【００１８】
いくつかの実施形態において、リーダは、ヒトが着用するセンサを用いて構成された１つまたは複数のコンタクトレンズに近接して頻繁に着用されるように構成可能である。たとえばリーダは、眼鏡、ジュエリー（たとえばイヤリング、ネックレス）、ヘッドバンド、帽子やキャップなどのヘッドカバー、イヤホン、他の衣類（たとえばスカーフ）、および／または他のデバイスの一部であるように構成可能である。したがってリーダは、着用されたコンタクトレンズに最も近い間に、電力を提供することおよび／または測定値を受信することが可能である。
【００１９】
１つまたは複数のコンタクトレンズに近接して頻繁に着用されるようにリーダを構成することによって、レンズが信頼できる外部電源および／またはセンサデータ収集用ストレージを有すること、センサデータの処理、ならびに、たとえば前述の表示デバイスなどの追加デバイスへの未処理および／または処理済みのセンサデータの伝送が、可能になる。したがって、本明細書で説明するリーダは、センサが組み込まれたコンタクトレンズの使用を強化するための、電力、通信、および処理のリソースを含むがこれらに限定されない、重要なサポート機能を提供しながら、結果としてコンタクトレンズ上のサポート機能を削減することができる。このコンタクトレンズ上のサポート機能の削減により、コンタクトレンズ上のリソースが解放され、より多くのおよび／または異なるセンサを追加し、コンタクトレンズ上に他の機能を提供することが可能となる。
【００２０】
ＩＩ．例示的な眼科用電子機器プラットフォーム
図１は、リーダ１８０と無線通信する眼球装着可能デバイス１１０を含むシステム１００のブロック図である。眼球装着可能デバイス１１０の露出部分は、眼球の角膜表面に接触装着されるように形成された高分子材料１２０から製造される。電源１４０、コントローラ１５０、生物相互作用電子機器１６０、および通信アンテナ１７０用の装着面を提供するために、高分子材料１２０に基板１３０が組み込まれる。生物相互作用電子機器１６０はコントローラ１５０によって動作される。電源１４０は、コントローラ１５０および／または生物相互作用電子機器１６０に動作電圧を供給する。アンテナ１７０は、眼球装着可能デバイス１１０に、および／または眼球装着可能デバイス１１０から、情報を伝達するために、コントローラ１５０によって動作される。アンテナ１７０、コントローラ１５０、電源１４０、および生物相互作用電子機器１６０は、すべて、組み込まれた基板１３０上に置くことができる。眼球装着可能デバイス１１０は電子機器を含み、眼球に接触装着するように構成されるため、本明細書では、眼科用電子機器プラットフォームとも呼ばれる。
【００２１】
接触装着を容易にするために、高分子材料１２０は、湿った角膜表面に（たとえば、角膜表面を覆う涙液膜を用いる毛細管力によって）付着（「装着」）するように構成された凹面を有することができる。追加または代替として、眼球装着可能デバイス１１０は、凹曲面による角膜表面と高分子材料との間の真空力によって付着することができる。凹面によって眼球に対して装着されている一方で、高分子材料１２０の外向面は、眼球装着可能デバイス１１０が眼球に装着されている間にまぶたの動きを妨げないように形成された凸曲面を有することができる。たとえば高分子材料１２０は、コンタクトレンズと同様に整形された、ほぼ透明な湾曲高分子ディスクとすることができる。
【００２２】
高分子材料１２０は、角膜表面との直接接触を含むコンタクトレンズまたは他の眼科適用例で使用するために採用されるような、１つまたは複数の生体適合性材料を含むことができる。高分子材料１２０は、部分的にこうした生体適合性材料から形成されてもよいか、またはこうした生体適合性材料を用いた外被膜を含むことができる。高分子材料１２０は、ヒドロゲルなどの、角膜表面を湿らせるように構成された材料を含むことができる。いくつかの実施形態において、高分子材料１２０は、着用者の快適さを向上させるための可塑性（「非剛性」）材料とすることができる。いくつかの実施形態において、高分子材料１２０は、コンタクトレンズによって提供できるような、所定の視力矯正屈折力を提供するように整形可能である。
【００２３】
基板１３０は、生物相互作用電子機器１６０、コントローラ１５０、電源１４０、およびアンテナ１７０を装着するのに好適な、１つまたは複数の表面を含む。基板１３０は、（たとえば接続パッドへのフリップチップ装着による）チップベース回路のための装着プラットフォーム、および／または、電極、相互接続、接続パッド、アンテナなどを作成するために導電材料（たとえば、金、プラチナ、パラジウム、チタニウム、銅、アルミニウム、銀、金属、他の導電材料、それらの組み合わせなど）をパターニングするためのプラットフォームの、両方として採用可能である。いくつかの実施形態において、回路、電極などを形成するために、ほぼ透明な導電材料（たとえばインジウムスズ酸化物）を基板１３０上でパターニングすることができる。たとえば、堆積、フォトリソグラフィ、電気めっきなどによって基板１３０上に金または別の導電材料のパターンを形成することにより、アンテナ１７０を形成することができる。同様に、コントローラ１５０と生物相互作用電子機器１６０との間、およびコントローラ１５０とアンテナ１７０との間の、相互接続１５１、１５７はそれぞれ、基板１３０上での導電材料の好適なパターンの堆積によって形成することができる。フォトレジスト、マスク、堆積技法、および／またはめっき技法の使用を含むがこれらに限定されない、微細加工技法の組み合わせを採用して、基板１３０上で材料をパターニングすることができる。基板１３０は、高分子材料１２０内で回路および／またはチップベースの電子機器を構造的に支持するように構成された、ポリエチレンテレフタレート（「ＰＥＴ」）または別の材料などの、相対的剛性材料とすることができる。眼球装着可能デバイス１１０は、代替として、単一基板ではなく、未接続基板のグループを用いて配置構成することができる。たとえば、コントローラ１５０およびバイオセンサまたは他の生物相互作用電子機器構成要素が１つの基板上に装着可能である一方で、アンテナ１７０は別の基板に装着し、この２つを相互接続１５７を介して電気的に接続することができる。
【００２４】
いくつかの実施形態において、生物相互作用電子機器１６０（および基板１３０）は、眼球装着可能デバイス１１０の中央から離して位置決めすることが可能であり、それによって、眼球の中央の感光性領域への光伝送への干渉を避けることができる。たとえば、眼球装着可能デバイス１１０が凸面ディスクとして整形される場合、基板１３０はディスクの外縁周辺（たとえば外周近く）に組み込むことができる。しかしながら、いくつかの実施形態において、生物相互作用電子機器１６０（および基板１３０）は、眼球装着可能デバイス１１０の中央部またはその付近に位置決めすることができる。追加または代替として、生物相互作用電子機器１６０および／または基板１３０は、眼球への光伝送との干渉を緩和するために、入射可視光に対してほぼ透明とすることができる。さらにいくつかの実施形態において、生物相互作用電子機器１６０は、表示命令に従って眼球によって受け取られる光を放射および／または伝送する、ピクセルアレイ１６４を含むことができる。したがって生物相互作用電子機器１６０は、ピクセルアレイ１６４上に情報（たとえば文字、記号、フラッシングパターンなど）を表示することなどによって、眼球装着可能デバイス１１０の着用者に対して知覚可能な視覚的刺激を生成するように、眼球装着可能デバイスの中央に位置決めしてもよい。
【００２５】
基板１３０は、組み込まれた電子機器構成要素に装着プラットフォームを提供するのに十分な半径幅寸法を備える、扁平リングとして整形することができる。基板１３０は、眼球装着可能デバイス１１０のプロファイルに影響を与えることなく、基板１３０を高分子材料１２０内に組み込むことができるような、十分に薄い厚みを有することができる。基板１３０は、装着される電子機器を支持するのに好適な構造的安定性を提供するだけの十分に厚い厚みを有することができる。たとえば基板１３０は、約１０ミリメートルの直径、約１ミリメートルの半径幅（たとえば内部半径よりも１ミリメートル大きい外部半径）、および約５０マイクロメートルの厚みを備える、リングとして整形することができる。基板１３０は、眼球装着可能デバイス１１０の眼球装着面（たとえば凸形表面）の湾曲と一致させてもよい。たとえば基板１３０は、内部半径および外部半径を規定する２つの円形セグメント間の仮想錐体の表面に沿って整形することができる。こうした例では、仮想錐体の表面に沿った基板１３０の表面は、その半径で眼球装着面の湾曲とほぼ一致する傾斜面を画定する。
【００２６】
電源１４０は、コントローラ１５０および生物相互作用電子機器１６０に電力を供給するために、周囲エネルギーを採取するように構成される。たとえば無線周波数エネルギー採取アンテナ１４２は、入射する無線放射からエネルギーを採取することができる。追加または代替として、太陽電池１４４（「光電池」）は、入ってくる紫外線、可視光、および／または赤外線からエネルギーを捕獲することができる。さらに、周囲振動からエネルギーを捕獲するために、慣性電力捕捉システムを含めることができる。エネルギー採取アンテナ１４２は、リーダ１８０に情報を伝達するためにも使用される、二重目的アンテナであってよい。すなわち、通信アンテナ１７０およびエネルギー採取アンテナ１４２の機能を、同じ物理アンテナを用いて達成することができる。
【００２７】
整流器／調整器１４６を使用して、捕獲されたエネルギーをコントローラ１５０に供給される安定ＤＣ供給電圧１４１に調整することができる。たとえば、エネルギー採取アンテナ１４２は、入射する無線周波数放射を受け取ることができる。アンテナ１４２のリード上の可変電気信号は、整流器／調整器１４６に出力される。整流器／調整器１４６は、可変電気信号をＤＣ電圧に整流し、整流されたＤＣ電圧をコントローラ１５０の動作に適したレベルに調整する。追加または代替として、太陽電池１４４からの出力電圧を、コントローラ１５０の動作に適したレベルに調整することができる。整流器／調整器１４６は、周囲エネルギー収集アンテナ１４２および／または太陽電池１４４における高周波数変動を緩和するために、１つまたは複数のエネルギー貯蔵デバイスを含むことができる。たとえば、１つまたは複数のエネルギー貯蔵デバイス（たとえばキャパシタ、インダクタなど）は、ＤＣ供給電圧１４１を調整するために整流器１４６の出力に並列に接続し、低域通過フィルタとして機能するように構成することができる。
【００２８】
コントローラ１５０は、ＤＣ供給電圧１４１がコントローラ１５０に提供される時にオンに切り替えられ、コントローラ１５０内の論理は生物相互作用電子機器１６０およびアンテナ１７０を動作させる。コントローラ１５０は、眼球装着可能デバイス１１０の生物学的環境と相互作用するように、生物相互作用電子機器１６０を動作させるように構成された、論理回路を含むことができる。相互作用は、生物学的環境から入力を取得するために、生物相互作用電子機器１６０内での検体バイオセンサ１６２などの１つまたは複数の構成要素の使用を含むことができる。追加または代替として、相互作用は、生物学的環境に出力を提供するために、ピクセルアレイ１６４などの１つまたは複数の構成要素の使用を含むことができる。
【００２９】
一例において、コントローラ１５０は、検体バイオセンサ１６２を動作させるように構成されたセンサインターフェースモジュール１５２を含む。検体バイオセンサ１６２は、たとえば、作用電極および参照電極を含むアンペロメトリック電気化学センサとすることができる。検体が作用電極での電気化学反応（たとえば還元および／または酸化反応）を受けるために、作用電極と参照電極との間に電圧を印加することができる。電気化学反応は、作用電極を介して測定可能なアンペロメトリック電流を生成することができる。アンペロメトリック電流は、検体濃度に依存することができる。したがって、作用電極を介して測定されるアンペロメトリック電流の量が、検体濃度の指標となることができる。いくつかの実施形態において、センサインターフェースモジュール１５２は、作用電極を通る電流を測定する一方で、作用電極と参照電極との間に電圧差を印加するように構成された、定電位電解装置（ｐｏｔｅｎｔｉｏｓｔａｔ：ポテンシオスタット）とすることができる。
【００３０】
いくつかのインスタンスでは、電気化学センサを１つまたは複数の所望の検体に対して敏感に反応させるために、試薬を含めることも可能である。たとえば、作用電極の近位にあるブドウ糖酸化酵素（「ＧＯｘ」）の層は、過酸化水素（Ｈ2Ｏ2）を生成するために、ブドウ糖の酸化に触媒作用を及ぼすことができる。次いで過酸化水素は、作用電極で電気的に酸化することが可能であり、作用電極に対して電子を放出し、結果として作用電極を介して測定可能なアンペロメトリック電流が発生する。
【数１】
2018015563.tif 000003
【００３１】
還元反応または酸化反応のいずれかによって生成される電流は、反応速度にほぼ比例する。さらに反応速度は、直接、または試薬を介して触媒的に、還元反応または酸化反応を促進させるために、検体分子が電気化学センサ電極に到達する速度に依存する。追加の検体分子が周辺領域からサンプリングされた領域へと拡散するのとほぼ同じ速度で、検体分子がサンプリングされた領域から電気化学センサ電極に拡散する、定常状態では、反応速度は検体分子の濃度にほぼ比例する。したがって、作用電極を介して測定される電流は、検体濃度の指標となる。
【００３２】
コントローラ１５０は、ピクセルアレイ１６４を動作させるためのディスプレイドライバモジュール１５４を含んでもよい。ピクセルアレイ１６４は、行および列に配置構成された、別々にプログラム可能な光伝送、光反射、および／または光放射のピクセルとすることができる。個々のピクセル回路は、ディスプレイドライバモジュール１５４からの情報に従って、光を選択的に伝送、反射、および／または放射するための、液晶技術、微小電気機械技術、放射ダイオード技術などを含んでもよい。こうしたピクセルアレイ１６４は、視覚コンテンツをカラーでレンダリングするために、複数カラーのピクセル（たとえば赤、緑、および青色のピクセル）を含んでもよい。ディスプレイドライバモジュール１５４は、たとえば、プログラミング情報をピクセルアレイ１６４内の別々にプログラム可能なピクセルに提供する１つまたは複数のデータライン、および、こうしたプログラミング情報を受信するためにピクセルグループを設定するための１つまたは複数のアドレス指定ラインを含むことができる。眼球上に置かれるこうしたピクセルアレイ１６４は、ピクセルアレイから眼による知覚可能な焦点面へと光を送るための、１つまたは複数のレンズを含むこともできる。
【００３３】
コントローラ１５０は、アンテナ１７０を介して情報を送信および／または受信するための、通信回路１５６を含むこともできる。通信回路１５６は、アンテナ１７０によって送信および／または受信される搬送周波数に関する情報を変調および／または復調するための、１つまたは複数の発振器、混合器、周波数入射器などを含んでもよい。いくつかの例において、眼球装着可能デバイス１１０は、リーダ１８０によって知覚可能なようにアンテナ１７０のインピーダンスを変調することによって、バイオセンサからの出力を示すように構成される。たとえば通信回路１５６は、アンテナ１７０からの後方散乱放射の振幅、位相、および／または周波数に変動を発生させる可能性があり、こうした変動はリーダ１８０によって検出可能である。
【００３４】
コントローラ１５０は、相互接続１５１を介して生物相互作用電子機器１６０に接続される。たとえば、コントローラ１５０が、センサインターフェースモジュール１５２および／またはディスプレイドライバモジュール１５４を形成するために、集積回路内に実装された論理要素を含む場合、パターニングされた導電材料（たとえば金、プラチナ、パラジウム、チタニウム、銅、アルミニウム、銀、金属、それらの組み合わせなど）は、チップ上の端子を生物相互作用電子機器１６０に接続することができる。同様に、コントローラ１５０は、相互接続１５７を介してアンテナ１７０に接続される。
【００３５】
図１に示されたブロック図は、説明の便宜上、機能モジュールに関連して説明されていることに留意されたい。しかしながら、眼球装着可能デバイス１１０の実施形態は、単一チップ、集積回路、および／または物理構成要素内に実装された機能モジュール（「サブシステム」）のうちの１つまたは複数と共に配置構成可能である。たとえば、整流器／調整器１４６は電源ブロック１４０内に示されているが、整流器／調整器１４６は、コントローラ１５０の論理要素、および／または、眼球装着可能デバイス１１０内に組み込まれた電子機器の他の機構も含む、チップ内に実装可能である。したがって、電源１４０からコントローラ１５０に提供されるＤＣ供給電圧１４１は、同じチップ上に配置された整流器および／または調整器構成要素によってチップ上の構成要素に提供される供給電圧とすることができる。すなわち、電源ブロック１４０およびコントローラブロック１５０として示される、図１の機能ブロックは、物理的に別々のモジュールとして実装される必要はない。さらに、図１で説明される機能モジュールのうちの１つまたは複数は、互いに電気的に接続された別々にパッケージングされたチップによって実装可能である。
追加または代替として、エネルギー採取アンテナ１４２および通信アンテナ１７０は、同じ物理アンテナを用いて実装可能である。たとえばループアンテナは、発電用の入射放射を採取すること、および後方散乱放射を介して情報を伝達することの、両方が可能である。
【００３６】
リーダ１８０は、眼球の外側に、すなわち眼球装着可能デバイスの一部ではなく構成可能である。リーダ１８０は、眼球装着可能デバイス１１０との間でワイヤレス信号１７１を送信および受信するための、１つまたは複数のアンテナ１８８を含むことができる。いくつかの実施形態において、リーダ１８０は、ＲＦＩＤ規格、Ｂｌｕｅｔｏｏｔｈ規格、Ｗｉ−Ｆｉ規格、Ｚｉｇｂｅｅ規格などであるがこれらに限定されない、１つまたは複数の規格に従ったハードウェアおよび／またはソフトウェア動作を使用して、通信可能である。
【００３７】
リーダ１８０は、メモリ１８２と通信するプロセッサ１８６を備えるコンピューティングシステムを含むこともできる。メモリ１８２は、限定はしないが、磁気ディスク、光ディスク、有機メモリ、および／または、プロセッサ１８６による読み取りが可能な任意の他の揮発性（たとえばＲＡＭ）または不揮発性（たとえばＲＯＭ）記憶システムを含み得る、非一時的コンピュータ可読媒体である。メモリ１８２は、（たとえば検体バイオセンサ１６２からの）センサ読み取り値、（たとえば、眼球装着可能デバイス１１０および／またはリーダ１８０の挙動を調節するための）プログラム設定などの、データの指示を記憶するための、データストレージ１８３を含むことができる。メモリ１８２は、命令１８４によって指定されたプロセスをリーダ１８０に実行させるための、プロセッサ１８６による実行のためのプログラム命令１８４を含むこともできる。たとえばプログラム命令１８４は、眼球装着可能デバイス１１０から伝達された情報（たとえば、検体バイオセンサ１６２からのセンサ出力）の取り出しを可能にするユーザインターフェースを、リーダ１８０に提供させることができる。リーダ１８０は、眼球装着可能デバイス１１０との間でワイヤレス信号１７１を送信および受信するためにアンテナ１８８を動作させるための、１つまたは複数のハードウェア構成要素を含むこともできる。たとえば、発振器、周波数入射器、エンコーダ、デコーダ、増幅器、フィルタなどは、プロセッサ１８６からの命令に従ってアンテナ１８８を駆動させることができる。
【００３８】
いくつかの実施形態において、リーダ１８０は、スマートフォン、携帯情報端末、または、ワイヤレス通信リンク１７１を提供するのに十分なワイヤレス接続を備える他のポータブルコンピューティングデバイスとすることができる。他の実施形態において、リーダ１８０は、たとえば一般的にはポータブルコンピューティングデバイスで採用されない搬送周波数で通信リンク１７１が動作するシナリオにおいて、ポータブルコンピューティングデバイスにプラグイン可能なアンテナモジュールとして、実装可能である。少なくとも図５との関連において以下でより詳細に考察される他の実施形態においても、リーダ１８０は、ワイヤレス通信リンク１７１が低電力量で動作できるようにするために、着用者の眼の比較的近くで着用されるように構成された、特定用途向けデバイスとすることができる。たとえばリーダ１８０は、ネックレス、イヤリングなどのジュエリーに組み込むか、または帽子、ヘッドバンドなどの頭部近くで着用される衣料製品に組み込むことができる。
【００３９】
眼球装着可能デバイス１１０が検体バイオセンサ１６２を含む例では、システム１００は、眼球表面上の涙液膜内の検体濃度を監視するように動作可能である。したがって眼球装着可能デバイス１１０は、眼科用検体バイオセンサのためのプラットフォームとして構成可能である。涙液膜は、眼球を覆うために涙腺から分泌される水層である。涙液膜は、眼球構造内の毛細管を介した血液供給と接触し、ヒトの健康状態を特徴付けるために解析される血液中に見られる多くのバイオマーカを含む。たとえば、涙液膜は、ブドウ糖、カルシウム、ナトリウム、コレステロール、カリウム、他のバイオマーカなどを含む。涙液膜内のバイオマーカ濃度は、血液中のバイオマーカの対応する濃度とは体系的に異なる可能性があるが、涙液膜バイオマーカの濃度値を血液濃度レベルにマッピングするために２つの濃度レベル間の関係を確立することができる。たとえば、ブドウ糖の涙液膜濃度を、対応する血中ブドウ糖濃度のおよそ１０分の１となるように確立する（たとえば経験的に決定する）ことができる。しかしながら、別の比率関係および／または非比率関係を使用してもよい。したがって、涙液膜検体濃度レベルを測定することで、ヒトの体外で解析される血液の容量をランシング（ｌａｎｃｉｎｇ）することによって実行される血液サンプリング技法に比べて、バイオマーカレベルを監視する非侵襲性の技法を提供する。さらに、本明細書で開示される眼科用検体バイオセンサプラットフォームは、検体濃度のリアルタイム監視を実行可能にするために、ほぼ連続して動作することができる。
【００４０】
涙液膜検体モニタとして構成されたシステム１００を用いて読み取りを実行するために、リーダ１８０は、電源１４０を介して眼球装着可能デバイス１１０に電力を供給するために採取される、無線周波数放射１７１を放出することができる。エネルギー採取アンテナ１４２（および／または通信アンテナ１７０）によって捕獲された無線周波数電気信号は、整流器／調整器１４６内で整流および／または調整され、調整されたＤＣ供給電圧１４７はコントローラ１５０に提供される。このようにして無線周波数放射１７１は、眼球装着可能デバイス１１０内の電子構成要素をオンに切り替える。オンに切り替えられると、コントローラ１５０は検体濃度レベルを測定するために、検体バイオセンサ１６２を動作させる。たとえばセンサインターフェースモジュール１５２は、検体バイオセンサ１６２内の作用電極と参照電極との間に電圧を印加することができる。印加される電圧は、検体が作用電極で電気化学反応を受けるのに十分であり、それによって作用電極を介して測定可能なアンペロメトリック電流を生成することができる。測定されたアンペロメトリック電流は、検体濃度を示すセンサ読み取り値（「結果」）を提供することができる。コントローラ１５０は、（たとえば通信回路１５６を介して）センサ読み取り値をリーダ１８０に返送するために、アンテナ１７０を動作させることができる。センサ読み取り値は、たとえばインピーダンスの変調がリーダ１８０によって検出されるように通信アンテナ１７０のインピーダンスを変調することによって、伝達可能である。アンテナインピーダンスにおける変調は、たとえばアンテナ１７０からの後方散乱放射によって検出可能である。
【００４１】
いくつかの実施形態において、システム１００は、コントローラ１５０および電子機器１６０に電力を供給するために、眼球装着可能デバイス１１０にエネルギーを非連続的（「間欠的」）に供給するように動作可能である。たとえば、無線周波数放射１７１は、涙液膜検体濃度測定を実施し、結果を伝達するのに十分な長さで、眼球装着可能デバイス１１０に電力を供給するように供給することができる。たとえば供給された無線周波数放射は、作用電極での電気化学反応を誘導すること、結果として生じるアンペロメトリック電流を測定すること、および、測定されたアンペロメトリック電流を示すように後方散乱放射を調節するためにアンテナインピーダンスを変調することを行うのに十分な電位を作用電極と参照電極との間に印加するための、十分な電力を提供することができる。こうした例では、供給された無線周波数放射１７１は、測定を要求するための、リーダ１８０から眼球装着可能デバイス１１０への問い合わせ信号とみなすことができる。眼球装着可能デバイス１１０に（たとえばデバイスを一時的にオンに切り替えるために無線周波数放射１７１を供給することによって）定期的に問い合わせすること、および、センサ結果を（たとえばデータストレージ１８３を介して）記憶することによって、リーダ１８０は、眼球装着可能デバイス１１０に連続して電力を供給することなく、検体濃度測定値のセットを経時的に累積することができる。
【００４２】
図２Ａは、例示の眼球装着可能電子デバイス２１０（または眼科用電子機器プラットフォーム）の底面図である。図２Ｂは、図２Ａに示される例示の眼球装着可能電子デバイスの側面図である。図２Ａおよび図２Ｂ内の相対的寸法は必ずしも一定の縮尺でなく、例示の眼球装着可能電子デバイス２１０の配置構成を記述する際の説明の目的でのみレンダリングされたものであることに留意されたい。眼球装着可能デバイス２１０は、湾曲ディスクとして整形された高分子材料２２０から形成される。いくつかの実施形態において、眼球装着可能デバイス２１０は、眼球装着可能デバイス１１０の前述の態様のうちのいくつかまたはすべてを含むことができる。他の実施形態において、眼球装着可能デバイス１１０は、眼球装着可能デバイス２１０の本明細書に記載された態様のうちのいくつかまたはすべてを、さらに含むことができる。
【００４３】
高分子材料２２０は、眼球装着可能デバイス２１０が眼球に装着されている間に眼球に入射光が伝送され得るように、ほぼ透明な材料とすることができる。高分子材料２２０は、ポリエチレンテレフタレート（「ＰＥＴ」）、ポリメチルメタクリレート（「ＰＭＭＡ」）、ポリヒドロキシエチルメタクリレート（「ｐｏｌｙＨＥＭＡ」）、シリコンヒドロゲル、それらの組み合わせなどの、視力検査時に視力矯正用および／または美容用コンタクトレンズを形成するために採用されるものと同様の、生体適合性材料とすることができる。高分子材料２２０は、眼球の角膜表面全体にフィットするのに好適な凹面２２６を有する一側面を用いて形成可能である。ディスクの反対側面は、眼球装着可能デバイス２１０が眼球に装着されている間まぶたの動きを妨げない、凸面２２４を有することができる。円形外側縁部２２８は、凹面２２４および凸面２２６を接続する。
【００４４】
眼球装着可能デバイス２１０は、ほぼ１センチメートルの直径、および約０．１から約０．５ミリメートルの厚みなどの、視力矯正用および／または美容用のコンタクトレンズと同様の寸法を有することができる。しかしながら、直径および厚みの値は説明の目的のみで提供されている。いくつかの実施形態において、眼球装着可能デバイス２１０の寸法は、着用者の眼球の角膜表面のサイズおよび／または形状に従って選択可能である。
【００４５】
高分子材料２２０は、多様な方法で湾曲形状に形成可能である。たとえば、熱成形、射出成形、回転成形などの、視力矯正用コンタクトレンズを形成するために採用されるものと同様の技法を採用して、高分子材料２２０を形成することができる。眼球装着可能デバイス２１０が眼内に装着される間、凸面２２４は周囲環境に対して外側に面し、凹面２２６は角膜表面に向かって内側に面する。したがって凸面２２４は、眼球装着可能デバイス２１０の外側上面とみなし得、凹面２２６は内側底面とみなし得る。図２Ａに示される「底面」図は、凹面２２６に面している。図２Ａに示される底面図から、湾曲ディスクの外側周囲付近の外側外縁２２２は、ページの外へと延在するように湾曲し、ディスクの中央付近の中央領域２２１は、ページの中へと延在するように湾曲している。
基板２３０は、高分子材料２２０に組み込まれる。基板２３０は、中央領域２２１から遠くの、高分子材料２２０の外側外縁２２２に沿って置かれるように組み込むことができる。基板２３０は焦点が合わないほど眼球に近く、入射光が眼球の眼球感知部に伝送される中央領域２２１から離れて位置決めされるため、視力に干渉することはない。さらに基板２３０は、視覚への影響をさらに緩和するために透明な材料から形成可能である。
【００４６】
基板２３０は、平坦な円形リング（たとえば中央に穴の開いたディスク）として整形され得る。基板２３０の（たとえば半径幅に沿った）平坦面は、（たとえばフリップチップ装着を介して）チップなどの電子機器を装着するため、ならびに、電極、アンテナ、および／または相互接続を形成するために、導電材料を（たとえば、フォトリソグラフィ、堆積、めっきなどの微細加工技術を介して）パターニングするための、プラットフォームである。基板２３０および高分子材料２２０は、共通中心軸を中心にほぼ円柱状に対称とすることができる。基板２３０は、たとえば、約１０ミリメートルの直径、約１ミリメートルの半径幅（たとえば、内部半径よりも１ミリメートル大きい外部半径）、約５０マイクロメートルの厚みを有することができる。しかしながら、これらの寸法は例示目的でのみ提供され、本開示をいかなる場合も制限するものではない。基板２３０は、上記の図１に関連した基板１３０の考察と同様に、多様な異なる形式要素で実装可能である。
ループアンテナ２７０、コントローラ２５０、および生物相互作用電子機器２６０が、組み込まれた基板２３０上に配設される。コントローラ２５０は、生物相互作用電子機器２６０およびループアンテナ２７０を動作させるように構成された論理要素を含むチップとすることができる。コントローラ２５０は、同じく基板２３０上に置かれた相互接続２５７によって、ループアンテナ２７０に電気的に接続される。同様に、コントローラ２５０は、相互接続２５１によって生物相互作用電子機器２６０に電気的に接続される。相互接続２５１、２５７、ループアンテナ２７０、および（たとえば電気化学検体バイオセンサなどのための）任意の導電電極は、堆積、フォトリソグラフィなどの、こうした材料を精密にパターニングするためのプロセスによって、基板２３０上にパターニングされる導電材料から形成され得る。基板２３０上にパターニングされる導電材料は、たとえば金、プラチナ、パラジウム、チタニウム、カーボン、アルミニウム、銅、銀、塩化銀、貴材料（ｎｏｂｌｅ ｍａｔｅｒｉａｌｓ）から形成される導体、金属、それらの組み合わせなどとすることができる。
【００４７】
眼球装着可能デバイス２１０の凸面２２４に面する図である図２Ａに示されるように、生物相互作用電子機器２６０は、基板２３０の凸面２２４に面する側に装着される。生物相互作用電子機器２６０が検体バイオセンサを含む場合、たとえばこうしたバイオセンサを凸面２２４に面する基板２３０上に装着することで、バイオセンサは、（図２Ｃおよび図２Ｄに示される）凸面２２４への高分子材料２２０内のチャネル２７２を介して涙液膜内の検体濃度を感知することができる。いくつかの実施形態において、いくつかの電子構成要素を基板２３０の一方の側に装着可能であり、他の電子構成要素を反対の側に装着し、この２つの間の接続を、基板２３０を通る導電材料を介して作成することができる。
【００４８】
ループアンテナ２７０は、平坦な導電リングを形成するために基板の平坦面に沿ってパターニングされた導電材料の層である。いくつかのインスタンスでは、ループアンテナ２７０は完全なループを形作ることなく形成可能である。たとえばループアンテナは、図２Ａに示されるように、コントローラ２５０および生物相互作用電子機器２６０用の余地を残すためにカットアウトを有することができる。しかしながらループアンテナ２７０は、基板２３０の平坦面周囲全体に１回または複数回巻き付いた、導電材料の連続ストリップとして配置構成することも可能である。たとえば、複数の巻きを伴う導電材料のストリップを、コントローラ２５０および生物相互作用電子機器２６０と反対側の基板２３０上にパターニングすることができる。こうした巻きアンテナの端部間の相互接続（たとえばアンテナリード）は、基板２３０を介してコントローラ２５０へと渡すことができる。
【００４９】
図２Ｃは、眼球１０の角膜表面２２に装着されている間の、例示の眼球装着可能デバイス２１０の垂直断面図である。図２Ｄは、例示の眼球装着可能デバイス２１０の露出した表面２２４、２２６を取り囲む涙液膜層４０、４２を示すために強調された、近接垂直断面図である。図２Ｃおよび図２Ｄの相対的寸法は必ずしも一定の縮尺ではなく、例示の眼球装着可能デバイス２１０の配置構成を記述する際の説明の目的でのみレンダリングされたものであることに留意されたい。たとえば眼球装着可能デバイスの総厚みは約２００マイクロメートルとすることが可能であり、涙液膜層４０、４２の厚みはそれぞれ約１０マイクロメートルとすることが可能であるが、この比率は図面内に反映されていない場合がある。いくつかの態様は、例示を可能にし、説明を容易にするために誇張されている。
【００５０】
眼球１０は、上まぶた３０および下まぶた３２を共に眼球１０の上部全体を覆うように持ってくることによってカバーされる、角膜２０を含む。入射光は角膜２０を介して眼球１０によって受け取られ、光は、視覚を刺激するために眼球１０の光感知要素（たとえば桿体（ｒｏｄｓ）および錐体（ｃｏｎｅｓ）など）に向けて光学的に送られる。まぶた３０、３２の動きは、眼球１０の露出した角膜表面２２全体に涙液膜を分散させる。涙液膜は、眼球１０を保護および潤滑するために涙腺によって分泌される水溶液である。眼球装着可能デバイス２１０が眼球１０に装着された場合、涙液膜は、（凹面２２６に沿った）内部層４０および（凸面２２４に沿った）外部層４２を用いて、凹面および凸面２２４、２２６の両方を覆う。涙液膜層４０、４２は、約１０マイクロメートルの厚みとし、まとめて約１０マイクロリットルを占める。
【００５１】
涙液膜層４０、４２は、まぶた３０、３２の動きによって、角膜表面２２および／または凸面２２４にわたって分散される。たとえばまぶた３０、３２は、角膜表面２２および／または眼球装着可能デバイス２１０の凸面２２４全体に少量の涙液膜を広げるために、それぞれ上下する。角膜表面２２上の涙液膜層４０は、凹面２２６と角膜表面２２との間の毛細管力により、眼球装着可能デバイス２１０の装着も容易にする。いくつかの実施形態において、眼球装着可能デバイス２１０は、眼球に面した凹面２２６の凹形湾曲により、角膜表面２２に対する真空力によって眼球を部分的に覆って保持され得る。
【００５２】
図２Ｃおよび図２Ｄの断面図に示されるように、基板２３０は、基板２３０の平坦な装着面が凸面２２４の隣接部分とほぼ平行になるように傾けられ得る。前述のように、基板２３０は、（高分子材料２２０の凹面２２６に面する）内側に面した表面２３２および（凸面２２４に面する）外側に面した表面２３４を備える、扁平リングである。基板２３０は、装着面２３２、２３４のいずれかまたは両方に装着された、電子構成要素および／またはパターニングされた導電材料を有することができる。図２Ｄに示されるように、生物相互作用電子機器２６０、コントローラ２５０、および導電相互接続２５１は、生物相互作用電子機器２６０が凸面２２４に面するように、外側に面する表面２３４上に装着される。
【００５３】
前方側を画定する高分子層の厚みは５０マイクロメートルよりも厚い可能性があり、後方側を画定する高分子層は１５０マイクロメートルよりも薄い可能性がある。したがって、生物相互作用電子機器２６０は、凸面２２４から少なくとも５０マイクロメートル離れている可能性があり、凹面２２６からはそれよりも長い距離の可能性がある。しかしながら、他の例において、生物相互作用電子機器２６０は、生物相互作用電子機器２６０が凹面２２６に面するように、基板２３０の内側に面する表面２３２上に装着可能である。生物相互作用電子機器２６０は、凸面２２４よりも凹面２２６に近く位置決めすることも可能である。この配置構成では、生物相互作用電子機器１６０は、チャネル２７２を介して涙液膜２９２内の検体濃度を受信することができる。
【００５４】
ＩＩＩ．眼科用電気化学検体センサ
図３は、涙液膜検体濃度を電気化学的に測定および表示するためのシステム３００の機能ブロック図である。システム３００は、リーダ１８０と通信し、リーダ１８０によって電力供給される、電子構成要素が組み込まれた眼球装着可能デバイス２１０を含む。リーダ１８０は、表示デバイス３５０と通信するようにも構成可能である。リーダ１８０および眼球装着可能デバイス２１０は、図３でプロトコル１として示される、１つの通信プロトコルまたは規格に従って通信可能であり、リーダ１８０および表示デバイス３５０は、図３でプロトコル２として示される、１つの通信プロトコルまたは規格に従って通信可能である。いくつかの実施形態において、プロトコル１およびプロトコル２は同一であり、他の実施形態では、プロトコル１はプロトコル２とは異なる。特定の実施形態において、プロトコル１はＲＦＩＤプロトコルであり、プロトコル２はＢｌｕｅｔｏｏｔｈプロトコル、Ｗｉ−Ｆｉプロトコル、またはＺｉｇＢｅｅプロトコルのいずれかである。他の特定の実施形態において、プロトコル１はＢｌｕｅｔｏｏｔｈプロトコル、Ｗｉ−Ｆｉプロトコル、またはＺｉｇＢｅｅ（登録商標。以下同じ。）プロトコルのいずれかである。さらに他の特定の実施形態において、プロトコル２は、Ｕｎｉｖｅｒｓａｌ Ｓｅｒｉａｌ Ｂｕｓプロトコル、Ｒｅｇｉｓｔｅｒｅｄ Ｊａｃｋプロトコル（たとえばＲＪ−２５）、またはワイヤードローカルエリアネットワークプロトコル（たとえばＥｔｈｅｒｎｅｔ（登録商標。以下同じ。））などであるが、これらに限定されない、ワイヤードプロトコルである。
【００５５】
眼球装着可能デバイス２１０は、リーダ１８０から無線周波数（ＲＦ）電力３４１を捕獲するためのアンテナ３１２を含む。いくつかの実施形態において、ＲＦ電力３４１および／または後方散乱通信３４３は、図３に示されるプロトコル１などの通信規格またはプロトコルに従って提供することができる。
【００５６】
眼球装着可能デバイス２１０は、整流器３１４、エネルギーストレージ３１６、および、組み込まれた電子機器を動作させるために電源電圧３３０、３３２を発生させるための調整器３１８を含む。眼球装着可能デバイス２１０は、センサインターフェース３２１によって駆動される作用電極３２２および参照電極３２３を備える、電気化学センサ３２０を含む。眼球装着可能デバイス２１０は、アンテナ３１２のインピーダンスを変調することによって、結果をセンサ３２０からリーダ１８０に伝達するための、ハードウェア論理３２４を含む。インピーダンス変調器３２５（図３ではスイッチとして象徴的に示される）を使用して、ハードウェア論理３２４からの命令に従ってアンテナインピーダンスを変調することができる。図１に関して上記で考察した眼球装着可能デバイス１１０と同様に、眼球装着可能デバイス２１０は、眼球に装着されるように構成された高分子材料内に組み込まれる装着基板を含むことができる。
【００５７】
電気化学センサ３２０は、眼球装着可能デバイス２１０と眼球との間に挿入された涙液膜層（たとえば、眼球装着可能デバイス２１０と角膜表面２２との間の内部涙液膜層４０）内の検体濃度を測定するために、（たとえば基板２３０の内部に面した側２３２の生物相互作用電子機器２６０に対応する）眼球の表面に近接したかかる基板の装着面上に置くことができる。しかしながら、いくつかの実施形態において、電気化学センサは、眼球装着可能デバイス２１０の露出した面を覆う涙液膜層（たとえば、高分子材料２１０の凸面２２４と大気および／または閉じたまぶたとの間に挿入される外側の涙液膜層４２）内の検体濃度を測定するために、（たとえば、基板２３０の外部に面した側２３４に対応する）眼球の表面から遠位のかかる基板の装着面上に置くことができる。
【００５８】
図３を参照すると、電気化学センサ３２０は、作用電極３２２において、試薬によって触媒作用が及ぼされた検体の生成物を電気化学的に反応させる（たとえば還元反応および／または酸化反応）のに十分な電圧を、電極３２２、３２３間に印加することにより、検体濃度を測定する。作用電極３２２における電気化学反応は、作用電極３２２で測定され得るアンペロメトリック電流を生成する。センサインターフェース３２１は、たとえば、作用電極３２２で試薬による触媒作用が及ぼされた検体からの生成物を還元するために、作用電極３２２と参照電極３２３との間に還元電圧を印加することができる。追加または代替として、センサインターフェース３２１は、作用電極３２２で試薬による触媒作用が及ぼされた検体からの生成物を酸化するために、作用電極３２２と参照電極３２３との間に酸化電圧を印加することができる。センサインターフェース３２１はアンペロメトリック電流を測定し、出力をハードウェア論理３２４に提供する。センサインターフェース３２１は、たとえば、作用電極３２２と参照電極３２３との間に電圧を印加し、同時に作用電極３２２を介して結果として生じるアンペロメトリック電流を測定するために、電極３２２、３２３の両方に接続された定電位電解装置（ｐｏｔｅｎｔｉｏｓｔａｔ：ポテンシオスタット）を含むことができる。
【００５９】
他の実施形態において、センサ３２０は、光、熱／温度、血圧、エアフロー、および／または検体濃度以外の他の特徴を測定するセンサをさらに含むこと、および／または、そのセンサに置き換えることができる。これらの他の実施形態において、センサ３２０は、測定された特徴に関するデータを、以下で考察するように、後方散乱通信３４３を使用してリーダ１８０に伝達することができる。
【００６０】
整流器３１４、エネルギーストレージ３１６、および電圧調整器３１８は、受け取ったＲＦ電力３４１からエネルギーを採取するように動作する。ＲＦ電力３４１は、アンテナ３１２のリード上に無線周波数電気信号を発生させる。整流器３１４はアンテナリードに接続され、無線周波数電気信号をＤＣ電圧に変換する。エネルギーストレージ３１６（たとえばキャパシタ）は、ＤＣ電圧の高周波成分を除去するために、整流器３１４の出力の両端間に接続される。調整器３１８は除去済みＤＣ電圧を受け取り、ハードウェア論理３２４を動作させるためのデジタル供給電圧３３０、および電気化学センサ３２０を動作させるためのアナログ供給電圧３３２の、両方を出力する。たとえば、アナログ供給電圧は、アンペロメトリック電流を生成するためにセンサ電極３２２、３２３の間に電圧を印加するために、センサインターフェース３２１によって使用される電圧とすることができる。デジタル供給電圧３３０は、およそ１．２ボルト、およそ３ボルトなどの、デジタル論理回路を駆動させるのに好適な電圧とすることができる。リーダ１８０からのＲＦ電力３４１（または、周囲放射線などの別のソース）を受け取ることで、供給電圧３３０、３３２がセンサ３２０およびハードウェア論理３２４に供給される。センサ３２０およびハードウェア論理３２４は、電力が供給されている間、アンペロメトリック電流を生成および測定し、結果を伝達するように構成される。
【００６１】
センサ結果は、アンテナ３１２から後方散乱放射３４３を介してリーダ１８０に返送することができる。ハードウェア論理３２４は電気化学センサ３２０から出力電流を受け取り、センサ３２０によって測定されたアンペロメトリック電流に従って、アンテナ３１２のインピーダンスを変調する（３２５）。アンテナインピーダンスおよび／またはアンテナインピーダンスの変化は、後方散乱信号３４３を介してリーダ１８０によって検出される。
【００６２】
リーダ１８０は、プロトコル１を使用して伝達するため、後方散乱信号３４３によって示される情報を復号するため、デジタル入力を処理システム３４６に提供するため、ならびにユーザインターフェース３４８を介した入力の受信および／または出力の提供のための、プロトコル１フロントエンド３４２ａおよび論理構成要素３４４を含むことができる。プロトコル１は、たとえばＲＦＩＤプロトコルとすることができる。いくつかの実施形態において、眼球装着可能デバイス２１０の一部またはすべては、ＲＦＩＤタグのいくつかまたはすべての機構を実行するように構成可能である。たとえば図３に示されるように、眼球装着可能デバイス２１０のタグ３７０として示される構成要素のうちのいくつかまたはすべてが、ＲＦＩＤタグのいくつかまたはすべての機構、たとえばアンテナ３１２、整流器３１４、エネルギーストレージ３１６、電圧調整器３１８、ハードウェア論理３２４などを、実行することができる。
【００６３】
いくつかの実施形態において、別々の機能ブロックとして示される機構のうちの１つまたは複数を単一チップ上に実装（「パッケージング」）することができる。たとえば眼球装着可能デバイス２１０は、整流器３１４、エネルギーストレージ３１６、電圧調整器３１８、センサインターフェース３２１、およびハードウェア論理３２４を、単一のチップまたはコントローラモジュール内にまとめてパッケージングした状態で、実装可能である。こうしたコントローラは、ループアンテナ３１２およびセンサ電極３２２、３２３に接続された相互接続（「リード」）を有することができる。こうしたコントローラは、ループアンテナ３１２で受け取ったエネルギーを採取し、アンペロメトリック電流を展開するのに十分な電圧を電極３２２、３２３の間に印加し、アンペロメトリック電流を測定し、アンテナ３１２を介して（たとえば後方散乱放射３４３を介して）測定された電流を示すように、動作する。
【００６４】
処理システム３４６または処理システム３５６などであるがこれらに限定されない処理システムは、１つまたは複数のプロセッサおよび１つまたは複数の記憶構成要素を含むことができる。例示のプロセッサは、ＣＰＵ、グラフィクス処理ユニット（ＧＰＵ）、デジタル信号プロセッサ（ＤＳＰ）、特定用途向け集積回路（ＡＳＩＣ）を含むが、これらに限定されない。例示の記憶構成要素は、揮発性および／または不揮発性の記憶構成要素、たとえば光、磁気、有機、または他のメモリ、ディスクストレージ、ランダムアクセスメモリ（ＲＡＭ）、読み取り専用メモリ（ＲＯＭ）、フラッシュメモリ、光メモリユニット、およびディスクメモリを含むが、これらに限定されない。記憶構成要素は、たとえば、処理システムのプロセッサによって実行された時に、リーダ１８０、眼球装着可能デバイス２１０、および／または表示デバイス３５０の、本明細書に記載された機能などであるがこれらに限定されない機能を、処理システムに実行させるように構成されたコンピュータ可読命令などの、ソフトウェアおよびデータを、記憶するように構成可能である。
【００６５】
リーダ１８０は、後方散乱信号３４３を（たとえば、アンテナ３１２のインピーダンスをセンサ３２０からの出力に関連付ける事前にプログラミングされた関係に従い、処理システム３４６を介して）センサ結果に関連付けることができる。処理システム３４６は、次いで、示されたセンサ結果（たとえば涙液膜検体濃度値）を、ローカルメモリおよび／または（たとえば、表示デバイス３５０上にあるかまたはネットワークを介する外部メモリと通信することによって）外部メモリに記憶することができる。
【００６６】
リーダ１８０のユーザインターフェース３４８は、リーダ１８０が動作していることを示し、その状況に関する何らかの情報を提供することが可能な、１つまたは複数の発光ダイオード（ＬＥＤ）などであるが、これらに限定されない、インジケータを含むことができる。たとえばリーダ１８０は、正常な動作時には１つのカラー（たとえば緑）、および異常な動作時には別のカラー（たとえば赤）を表示する、ＬＥＤを伴って構成することができる。他の実施形態において、ＬＥＤは、データの処理および／または通信時の表示をアイドル時とは変更する（たとえば、データの処理中はオンとオフを定期的に切り替え、アイドル中は常にオンまたはオフのままとする）ことができる。
【００６７】
いくつかの実施形態において、ユーザインターフェース３４８のＬＥＤのうちの１つまたは複数は、センサデータの状況を示すことが可能であり、たとえば、センサデータが正常範囲内にあるかまたは使用不可の場合は表示せず、センサデータが正常範囲を外れているが極端な高低ではない場合は第１のカラーを表示し、センサデータが極端に高いおよび／または低い場合は第２のカラーを表示する。たとえば、センサデータが、血中ブドウ糖レベルが極端に高いかまたは低いことを示す場合、ユーザインターフェース３４８は、処理システム３４６によって第２のカラーを用いて表示するように命じられ得る。特定の実施形態において、ユーザインターフェース３４８は、リーダ１８０が音声、たとえば、センサデータが極端に高いおよび／または低い場合の警告音および／またはトーンを、生成できるようにするための、スピーカまたは他の音声放出デバイスを含むことができる。
【００６８】
さらに他の実施形態において、リーダ１８０は、入力を受け取るための１つまたは複数のボタンおよび／または他のデバイスを有することができる。たとえばリーダ１８０は、少なくとも図６との関連において以下でより詳細に考察するような、較正データが生成されることになった場合を示すための較正ボタンを有することができる。
【００６９】
いくつかの実施形態において、リーダ１８０は、眼球装着可能デバイス２１０／タグ３７０に加えて、デバイスと通信することができる。たとえば図３は、プロトコル２を使用したリーダ１８０と表示デバイス３５０との間の通信３６０を示す。
【００７０】
表示デバイス３５０と通信するために、リーダ１８０はプロトコル２フロントエンド３４２ｂを含むことが可能であり、ハードウェア論理３４４は、プロトコル２を使用して通信するためにプロトコル２フロントエンド３４２ｂを使用するように構成可能である。いくつかの実施形態において、処理システム３４６は、ハードウェア論理３４４の本明細書で説明する機能を含むように、および／または実行するように構成可能である。
【００７１】
図３は、表示デバイス３５０がプロトコル２フロントエンド３５２、ハードウェア論理３５４、処理システム３５６、およびユーザインターフェース（ＵＩ）３５８を含み得ることを示す。ハードウェア論理３５４は、プロトコル２を使用して少なくともリーダ１８０と通信するために、プロトコル２フロントエンド３５２を使用するように構成可能である。処理システム３５６は、実行された場合に、表示システム３５０の本明細書で説明するいくつかまたはすべての機能を実行するように構成された、コンピュータ可読命令を含むことができる。いくつかの実施形態において、処理システム３５６は、ハードウェア論理３５４の本明細書で説明する機能を含むように、および／または実行するように構成可能である。ＵＩ３５８は、通信３６０の一部としてリーダ１８０から受信したデータに関する、イメージ、テキスト、オーディオ、および／またはビデオの情報を提示することなどのような、しかしこれらを含まない、イメージ、テキスト、音声、触覚フィードバック等を提示するように構成された、ハードウェアおよび／またはソフトウェアと共に構成可能である（UI 358 can be configured with hardware and／or software configured to present images， text， sound， haptic feedback， etc．， such as， but not including， presenting images， text， audio， and／or video information related to data received from reader 180 as part of communication 360．）。表示デバイス３５０によって提供可能な例示の図については、図７Ａ〜図７Ｅを参照されたい。
【００７２】
いくつかの実施形態において、表示デバイス３５０はプロトコル３フロントエンド３６２を含むことができる。これらの実施形態において、ハードウェア論理３５４は、プロトコル３を使用して１つまたは複数の他のデバイス（図３には図示せず）との通信３６４を送信および受信するために、プロトコル３フロントエンド３６２を使用するように構成可能である。プロトコル３は、ＲＦＩＤプロトコル、Ｂｌｕｅｔｏｏｔｈプロトコル、Ｗｉ−Ｆｉプロトコル、ＺｉｇＢｅｅプロトコル、ＷｉＭａｘプロトコル、またはワイヤレスワイドエリアネットワークプロトコル（たとえばＴＤＭＡ、ＣＤＭＡ、ＧＳＭ（登録商標）、ＵＭＴＳ、ＥＶ−ＤＯ、ＬＴＥ）などであるがこれらに限定されない、１つまたは複数のワイヤレスプロトコル、および／または、Ｕｎｉｖｅｒｓａｌ Ｓｅｒｉａｌ Ｂｕｓプロトコル、Ｒｅｇｉｓｔｅｒｅｄ Ｊａｃｋプロトコル（たとえばＲＪ−２５）、またはワイヤードローカルエリアネットワークプロトコル（たとえばＥｔｈｅｒｎｅｔ）などであるがこれらに限定されない、１つまたは複数のワイヤードプロトコルを、含むことができる。これらの実施形態のうち特に、プロトコル２フロントエンド３５２およびプロトコル３フロントエンド３６２を組み合わせることができる。
【００７３】
プロトコル３を使用する実施形態において、表示デバイス３５０を使用して、データを転送すること、および／または、１つまたは複数の他のデバイスを用いてブリッジすることが可能である。これらの実施形態のうち特に、１つまたは複数の他のデバイスのうちのデバイスは、表示デバイス３５０からデータを収集するための１つまたは複数のアプリケーション、たとえばクラウドデータ収集アプリケーションを実行するように構成された、サーバとすることができる。
【００７４】
ＩＶ．例示の電気化学センサ
図４Ａは、経時的に一連のアンペロメトリック電流測定値を取得するためにリーダ１８０によって動作される、眼球装着可能デバイス２１０を備えるシステム４００のブロック図である。眼科用電気化学センサ、たとえばセンサ３２０の実施形態を、眼球装着可能デバイス２１０と共に含めることができる。図４Ａに示されるように、眼球装着可能デバイス２１０は、眼球１０の角膜表面を覆って接触装着するように構成される。眼科用電気化学センサは、リーダ１８０からの測定信号の受信に応答して、アクティブ測定モードに移行されるように動作可能である。
【００７５】
リーダ１８０は、メモリ４１４と共に構成された処理システム３４６を含む。処理システム４１２は、眼球装着可能デバイス２１０に測定信号を間欠的に伝送することによって、リーダ１８０／システム４００に時系列の測定値を取得させるために、メモリ４１４に記憶されたコンピュータ可読命令を実行する、コンピューティングシステムとすることができる。測定信号に応答して、眼球装着可能デバイス２１０の１つまたは複数のセンサ、たとえば眼科用電気化学センサ４３０は、測定を行い、測定の結果を取得し、図に示されるようにリーダ１８０に関連し、後方散乱４２２を介して結果を伝達することができる。図３に関して上記で考察したように、リーダ１８０は、眼球装着可能デバイス２１０によって採取されるＲＦ電力４２０などのＲＦ電力を提供することができる。たとえば、後方散乱放射４２２がセンサ結果を示すように、センサ結果に従って眼球装着可能デバイス２１０のアンテナのインピーダンスを変調することができる。リーダ１８０は、メモリ４１４を使用して、眼科用電気化学センサ４３０によって伝達されるアンペロメトリック電流測定の指示を記憶することも可能である。したがってリーダ１８０は、時系列のアンペロメトリック電流測定値を取得するように、眼科用電気化学センサ４３０に間欠的に電力を供給するように動作可能である。
【００７６】
図４Ｂは、図４Ａに関連して説明される眼科用電気化学センサ４３０のブロック図である。眼科用電気化学センサ４３０は、安定化電子機器４３２、測定電子機器４３４、アンテナ４３６、およびセンサ電極４３８を含むことができる。安定化電子機器４３２は、眼科用電気化学センサ４３０がスタンバイ（または安定化）モードで動作している間、センサ電極４３８間に安定化電圧を印加するように構成可能である。測定電子機器４３４は、センサ電極４３８の作用電極を介してアンペロメトリック電流を測定し、測定されたアンペロメトリック電流をアンテナ４３６を介して伝達するように構成される。
【００７７】
眼科用電気化学センサ４３０は、スタンバイモード中にセンサ電極の両端に印加するためのバイアス電圧を発生させるために、入射放射線（および／または他のソース）からエネルギーを採取するための、エネルギー採取システムを含むことができる。眼科用電気化学センサ４３０は、アクティブ測定モードの開始を示す測定信号の受信に応答して、測定電子機器および通信電子機器に電力を供給するために、入射放射線から電力発生させるようにも構成可能である。たとえば測定電子機器４３４は、アンテナ４３６を介して入射無線周波数放射線からエネルギーを採取し、アンペロメトリック電流の測定および通信に電力を供給するために採取したエネルギーを使用するように、構成可能である。
【００７８】
Ｖ．例示の眼球近接リーダ
図５は、２つの眼球装着可能デバイス２１０ａ、２１０ｂ、バンド５２２、イヤリング５２４ａ、５２４ｂ、およびネックレス５２６を着用している例示の着用者５００を示す。少なくとも図３、４Ａ、および４Ｂとの関連において上記で考察したように、各眼球装着可能デバイス２１０ａ、２１０ｂは、少なくともそれぞれのレンズが着用されている眼球の涙液膜内の電流を測定するためのセンサで構成可能である。
【００７９】
バンド５２２の機能は、別のデバイスの構造、たとえば眼鏡フレーム、頭部装着可能コンピュータフレーム、キャップ、帽子、帽子またはキャップの一部（たとえば帽子のひも、野球帽のひさし）、ヘッドフォンのヘッドバンドなどによって、あるいは、別のバンド、たとえばヘッドバンド、スカーフ、またはヘッドバンドとして着用されるバンダナによって、実行可能である。たとえばバンド５２２は、着用者５００の耳、鼻、髪の毛、皮膚、および／または頭によって、またおそらくは外部デバイス、たとえば飾りピン、ヘアピン、ヘッドバンドゴム、スナップによって、支持することができる。バンド５２２用のその他および異なる支持も同様に可能である。
【００８０】
バンド５２２、イヤリング５２４ａ、５２４ｂ、およびネックレス５２６のうちの１つまたは複数は、１つまたは複数のリーダ、たとえば前述のリーダ１８０を含むように構成可能である。図５は、バンド５２２内のリーダに関する３つの例示的な位置１８０ａ、１８０ｂ、および１８０ｃを示す。たとえば、眼球装着可能デバイス２１０ａのみがセンサを有する場合、リーダ１８０などのリーダは、眼球装着可能デバイス２１０ａにコマンドおよび電力を送るために、例示の位置１８０ａおよび／または１８０ｂに装着可能である。同様に、眼球装着可能デバイス２１０ｂ内のセンサに電力を供給し、これと通信するために、バンド５２２に装着されるリーダ１８０などのリーダは、例示の位置１８０ｂおよび／または１８０ｃに装着可能である。
【００８１】
イヤリング５２４ａ、５２４ｂの各々または両方は、それぞれの眼球装着可能デバイス２１０ａ、２１０ｂ内のセンサと通信するため、およびそれらに電力を供給するために、それぞれのリーダ１８０ｄ、１８０ｅで構成可能である。ネックレス５２６は、それぞれの眼球装着可能デバイス２１０ａ、２１０ｂ内のセンサと通信するため、およびそれらに電力を供給するために、１つまたは複数のリーダ１８０ｆ、１８０ｇ、１８０ｈで構成可能である。他の実施形態も同様に可能であり、たとえば位置１８０ａ〜１８０ｃまたはそれらの位置付近のリーダは、帽子、ヘッドバンド、スカーフ、ジュエリー（たとえばブローチ）、眼鏡、ＨＭＤ、および／または他の装置の一部として構成可能である。
【００８２】
いくつかの実施形態において、リーダは、低電力伝送、たとえば１ワットまたはそれ未満の電力の伝送を使用して、眼球装着可能デバイス２１０内のセンサに電力を供給することができる。これらの実施形態において、リーダは、センサに電力を供給するために、眼球装着可能デバイス２１０ａ、２１０ｂから所定の距離内、たとえば１フィート、４０ｃｍ内とすることができる。
【００８３】
図６は、リーダ１８０が眼球装着可能デバイス（ＥＭＤ）２１０および表示デバイス３５０と通信するシナリオ６００を示す。シナリオ６００において、眼球装着可能デバイス２１０およびリーダ１８０は、ＲＦＩＤプロトコル、たとえば、”EPC（商標）Radio−Frequency Identity Protocols Class−1 Generation−2 UHF RFID Protocol for Communications at 860 MHz−960 MHz， Version 1．2．0”， October 23， 2008， EPCglobal Inc．に指定されているような、ＲＦＩＤ第２世代プロトコルを使用して通信する。シナリオ６００において、リーダ１８０および表示デバイス３５０は、Ｂｌｕｅｔｏｏｔｈプロトコル、たとえば、”Specification of the Bluetooth System”，Volumes 0−6， Core Package Version 4．0， June 30， 2010， Bluetooth SIG， Inc．に指定されているようなプロトコルを介して通信する。
【００８４】
他のシナリオにおいて、リーダ、タグ、表示デバイス、および／または他のデバイスは、異なる、および／または追加のプロトコル、たとえば、ＩＥＥＥ ８０２．１１プロトコル（「Ｗｉ−Ｆｉ」）、ＩＥＥＥ ８０２．１５プロトコル（「Ｚｉｇｂｅｅ」）、ローカルエリアネットワーク（ＬＡＮ）プロトコル、２Ｇプロトコル（たとえばＣＤＭＡ、ＴＤＭＡ、ＧＳＭ（登録商標））、３Ｇプロトコル（たとえばＣＤＭＡ−２０００、ＵＭＴＳ）、４Ｇプロトコル（たとえばＬＴＥ、ＷｉＭＡＸ）などであるがこれらに限定されないワイヤレスワイドエリアネットワーク（ＷＷＡＮ）プロトコル、ワイヤードプロトコル（たとえばＵＳＢ、ワイヤードＩＥＥＥ ８０２プロトコル、ＲＳ−２３２、ＤＴＭＦ、ダイヤルパルス）を使用して、通信可能である。プロトコルおよびプロトコルの組み合わせの多くの他の例も、同様に使用可能である。
【００８５】
シナリオ６００は、リーダ１８０がタグＩＤ要求メッセージ６２０を眼球装着可能デバイス２１０に送信することから始まる。タグＩＤ要求メッセージ６２０に応答して、眼球装着可能デバイス２１０はその識別子（ＩＤ）を取り出し、そのＩＤをタグＩＤ受信メッセージ２２２内でリーダ１８０に送信する。タグを備える複数の眼球装着可能デバイスおよび／または他のデバイスが動作している環境では、リーダ１８０は動作タグを備えるデバイスにいくつかのタグＩＤメッセージ６２０を送信し、動作タグを備える複数のデバイスのすべてに関するＩＤを取得し、それに応じていくつかのタグＩＤ受信メッセージ６２２を受信することができる。いくつかの実施形態では、１つのタグＩＤメッセージ６２０によって、複数のタグＩＤ受信メッセージ６２２、たとえば動作タグを備える複数のデバイスの各々からの１つのタグＩＤ受信メッセージが、送信されることになる。シナリオ６００では、１つのデバイス、眼球装着可能デバイス２１０のみが、動作タグを有するため、タグＩＤ要求メッセージ６２０に応答して、１つのタグＩＤ受信メッセージ６２２のみがリーダ１８０によって受信される。
【００８６】
眼球装着可能デバイス２１０に関するＩＤ（または他の識別情報）を受信すると、リーダ１８０は、ＩＤ記憶６２４を決定し、較正データが眼球装着可能デバイスに使用できるかどうかを決定することができる。いくつかのタイプの較正データがデバイスごとに決定可能であり、たとえばシナリオ６００では、検体バイオセンサから受信した電流データを涙液膜内の検体の濃度に変換するための較正データが、デバイスごとに決定可能である。たとえば、ブドウ糖を測定するように構成された検体バイオセンサは、電流データを涙液膜ブドウ糖レベルに変換するための較正データを有することができる。較正データは、たとえば、各液体サンプル中に異なる量のブドウ糖が溶解された液体（たとえば水または人工涙液膜）のサンプル内でバイオセンサ（または同等のデバイス）を使用して電流測定を行うことによって、バイオセンサの製造時に決定することができる。次いで、測定された電流値に基づき、電流値を涙液膜ブドウ糖レベルに変換するための、１つまたは複数の数学モデルを決定することができる。数学モデルの例は、線形モデル、区分的線形モデル、二次モデル、三次モデル、対数モデル、指数モデル、または別のタイプの非線形モデルを含むが、これらに限定されない。数学モデルは、較正データおよび電流データを入力として採用し、涙液膜ブドウ糖モデルを出力として決定することができる。
【００８７】
他のタイプの較正データは、人物ごとまたは着用者ごとに決定可能であり、たとえばシナリオ６００では、涙液膜ブドウ糖データを血中ブドウ糖データに変換するための較正データは、着用者ごとに決定可能である。この較正データは、着用者（または人物）がバイオセンサを着用し、較正データが決定された後にのみ、決定可能である。たとえば、リーダ１８０を較正するために、眼球装着可能センサ２１０の着用者は、食事のすぐ後にリーダ１８０の較正ボタンを押し、結果としてリーダ１８０は、着用者について血中ブドウ糖の相対的に高いレベルおよび相対的に低いレベルを決定し、電流値および／または涙液膜ブドウ糖レベルを血中ブドウ糖レベルに変換するために、それらの値を数学モデルへの較正データ入力として使用することができる。数学モデルは、上記で列挙した例示の数学モデルのうちの１つまたは複数、たとえば線形モデル、区分的線形モデルなどとすることが可能である。他のタイプのデバイスごとおよび／または着用者ごとの較正データも、同様に可能である。
【００８８】
シナリオ６００において、リーダ１８０は、タグＩＤ受信メッセージ６２２内に提供されたＩＤに基づく眼球装着可能デバイス２１０のための較正データを有しない。これに応じて、リーダ１８０は、１つまたは複数の較正データ要求メッセージ６２６を生成し、これに応じて、１つまたは複数の較正データ受信メッセージ６２８を受信することができる。較正データ要求メッセージ６２６は、たとえば、電流から涙液膜ブドウ糖の較正データ、涙液膜ブドウ糖から血中ブドウ糖の較正データ、較正データを計算するためのリーダ１８０に関するデータ値など、１つまたは複数の異なるタイプの較正データに対する要求を含むことができる。シナリオ６００において、リーダ１８０は、眼球装着可能デバイス２１０からのセンサデータに関する処理のうちのいくつかまたはすべてを表示デバイス３５０が実行することを許可するために、較正データ送信メッセージ６３０を介して、較正データのうちのいくつかまたはすべてを表示デバイス３５０に提供する。たとえばリーダ１８０は、較正データメッセージ６３０を使用して、識別された眼球装着可能デバイスからリーダ１８０によって受信された涙液膜ブドウ糖データを血中ブドウ糖値に変換するために、較正データを送信することが可能であり、その後表示デバイス３５０はこの値を、識別された眼球装着可能デバイスの着用者に対して表示することができる。他のシナリオでは、表示デバイス３５０は、較正データを要求するために、１つまたは複数の較正データ要求メッセージをリーダ１８０に送信することができる。
【００８９】
眼球装着可能デバイス２１０のタグ３７０などのＲＦＩＤタグは、受動タグとすることができる。受動ＲＦＩＤタグは、無線周波数（ＲＦ）信号を受信し、ＲＦ信号内で提供された電力を貯蔵するように、構成可能である。ＲＦ信号は、ＲＦＩＤメッセージを含むかまたは含まない場合がある。たとえばリーダ１８０は、電力を領域内タグ、たとえばタグ３７０に提供するために、リーダ１８０の領域内のタグにタグＩＤ要求メッセージを連続的に送信することができる。いくつかの実施形態において、リーダ１８０は、タグに定期的または連続的に電力を提供するために、ＲＦＩＤメッセージではない無線周波数（ＲＦ）信号、たとえば連続ＲＦ波形を送信することができる。図６は、リーダ１８０から眼球装着可能デバイス２１０に連続電力６３２を提供する例を示す。
【００９０】
シナリオ６００は、リーダ１８０によって、眼球装着可能デバイス２１０からデータを、たとえばコンタクトレンズ上に装着され、センサデータをタグに伝達するように構成された、１つまたは複数のセンサからのデータを取得するために、タグデータ要求メッセージ６４０を眼球装着可能デバイス２１０に送信することを続行することができる。眼球装着可能デバイス２１０は、要求されたデータをタグデータ受信メッセージ６４２内で提供することができる。眼球装着可能デバイス２１０からデータを受信すると、リーダ１８０は、上記のブドウ糖の例で考察したように、タグデータを記憶すること６５０、および／または、タグデータを処理すること６５２ができる。リーダ１８０は、１つまたは複数のタグデータ要求メッセージ６６０を眼球装着可能デバイス２１０に送信し、これに応じてタグデータ受信メッセージ６６２を受信することなどによって、眼球装着可能デバイス２１０にデータを定期的に要求することができる。いくつかの実施形態において、リーダ１８０は、コンタクトレンズがセンサを動作させ、要求に応答してタグデータを送信するのに十分な電力を有するかどうかを決定することができる。たとえばリーダ１８０は、リーダ１８０によって眼球装着可能デバイス２１０に提供される電力の決定に基づいて、眼球装着可能デバイス２１０から受信したメッセージの信号強さを測定することによって、眼球装着可能デバイス２１０から受信したメッセージに含まれる電力関係データによって、および／または、他の技法によって、眼球装着可能デバイス２１０が使用可能な電力を決定することができる。タグデータ受信メッセージ６６２内のタグデータを受信すると、リーダ１８０は、タグデータ６７０を記憶すること、および／またはタグデータ６７２を処理することが可能である。
【００９１】
何らかの時点で、表示デバイス３５０は、リーダ１８０および／または眼球装着可能デバイス２１０にデータを要求するために、リーダデータ要求メッセージ６８０をリーダ１８０に送信することができる。図６に示されていないいくつかのシナリオでは、リーダデータ要求メッセージ６８０を受信すると、リーダ１８０は、眼球装着可能デバイス２１０からデータを取得するためにタグデータ要求メッセージを送信し、その後、眼球装着可能デバイス２１０からの要求されたデータを記憶および／または処理することができる。リーダデータ要求メッセージ６８０を受信した後、リーダ１８０は、リーダ１８０によって記憶および／または処理されたデータを含むリーダデータ受信メッセージ６８２を生成し、これを表示デバイス３５０に送信することができる。いくつかの実施形態において、複数のメッセージを使用して、リーダデータ受信メッセージ６８２および／またはシナリオ６００で説明される任意の他のメッセージの機能を実行することができる。図６に示されていないいくつかの実施形態において、リーダ１８０は、リーダデータが使用可能な場合に、定期的に、またはいくつかの他の基準を使用して、表示デバイス３５０へのデータ伝送を開始することが可能であり、すなわちリーダ１８０は、リーダデータを表示デバイスにプッシュすることができる。
【００９２】
リーダデータ受信メッセージ６８２内でリーダ１８０からデータを受信した後、表示デバイス３５０は、リーダデータ６９０を使用すること、たとえばリーダデータ６９０の処理、提示、記憶、伝達、および／またはその他の使用が可能である。たとえば、リーダデータ６９０が涙液膜ブドウ糖データを含む場合、表示デバイス３５０は涙液膜ブドウ糖データを処理して血中ブドウ糖データを生成することができる。血中ブドウ糖データを生成すると、表示デバイス３５０は、視覚および／または聴覚手段を使用して（たとえばディスプレイ、スピーカ、骨伝導トランスデューサなどを使用して）、血中ブドウ糖データを提示することができる。
【００９３】
いくつかの実施形態において、表示デバイス３５０は血中ブドウ糖データを評価することができる。たとえば表示デバイス３５０は、血中ブドウ糖データを低ブドウ糖および／または高ブドウ糖のしきい値と比較して、それぞれ、眼球装着可能デバイス２１０の着用者１００にとって血中ブドウ糖データが高すぎるかまたは低すぎるかを決定することができる。血中ブドウ糖データが着用者１００にとって高すぎるかまたは低すぎる場合、表示デバイス３５０は、着用者１００に警告し、着用者１００を助けるために着用者１００に関連付けられた別の人物またはエンティティに連絡するよう試行し、および／または何らかの他のアクションを実行することができる。別の例として、表示デバイス３５０は、着用者１００にインシュリンを投与するように構成された、インシュリンポンプまたは同様のデバイスとのインターフェースを有することができる。次いで、血中ブドウ糖データが高すぎる場合、表示デバイス１００は、インターフェースを介して、着用者１００にインシュリンを投与するようにインシュリンポンプに命じることができる。他の例も同様に可能である。
【００９４】
ＶＩ．例示の表示デバイス図
図７Ａ〜図７Ｅは、表示デバイス３５０に関するユーザインターフェースの例示ビュー７１０、７２０、７３０、７４０、および７５０を示す。ビュー７１０、７２０、７３０、７４０、および／または７５０は、表示デバイス３５０上で実行する１つまたは複数のアプリケーション、たとえば血中ブドウ糖メータおよびグラフアプリケーションによって提示可能である。表示デバイスは、血中ブドウ糖レベルを表示するように構成可能であり、これは、前述の血中ブドウ糖データおよび／または血中ブドウ糖濃度値とするか、またはこれらに対応することが可能である。
【００９５】
図７Ａは、「ｍｍｏｌ／Ｌ」値（血液１リットル当たりのミリモル）を使用して測定された「正常」な血中ブドウ糖レベル「５．０」を示す、例示のブドウ糖メータのビュー７１０を示す。図７Ａは、正常な血中ブドウ糖レベルを示すために白色の背景カラーを用いたビュー７１０を示すが、正常な血中ブドウ糖レベルを指定するために、白色背景の代わりに他のカラーおよび／またはパターン（たとえば、信号機カラー用の緑色の背景、大きな透かし模様の「ＯＫ」、親指を立てたイメージ）が使用可能である。ビュー７１０は、血中ブドウ糖レベルが測定された時刻「９：１８ ＰＭ」および現在時刻「９：２０」を示す。いくつかの実施形態では、ビュー７１０、７２０、７３０、７４０、および／または７５０のコンテンツの一部またはすべてを表すオーディオデータを、対応するビューと共に、またはこれの代わりに提供することが可能であり、たとえば「あなたの血中ブドウ糖レベルは５．０、正常です」などのテキストを音声に変換し、表示デバイス３５０のスピーカまたは同様の音声出力デバイスを使用して提示することができる。
【００９６】
ビュー７１０は、３つのボタン７１２ａ、７１４、および７１６ａも含む。「グラフ」とマーク付けされたボタン７１２ａは、選択された時にブドウ糖グラフを描画するか、または血中ブドウ糖レベルのグラフを経時的に描画するように、表示デバイス３５０に命じるように構成可能である。「設定」とマーク付けされたボタン７１４は、選択された時に、ブドウ糖メータおよびブドウ糖グラフに関する様々な設定を表示および／または変更可能にするように、表示デバイス３５０に命じるように構成可能である。「ｍｇ／ＤＬ」とマーク付けされたボタン７１６ａは、選択された時に、血液１デシリットル当たりのブドウ糖のミリグラム（ｍｇ／ＤＬ）値を使用して血中ブドウ糖レベルを表示するように、表示デバイス３５０に命じるように構成可能である。いくつかの実施形態において、血中ブドウ糖メータおよびグラフアプリケーションは、図に示されていないボタン、たとえば戻るボタンまたは終了ボタンの選択によって終了させることができる。
【００９７】
図７Ｂは、「ｍｇ／ＤＬ」値を使用して測定された「上昇」した血中ブドウ糖レベル「１６０．１」を示す、例示のブドウ糖メータのビュー７２０を示す。図７Ｂは、上昇した血中ブドウ糖レベルを示すために灰色の背景カラーを用いたビュー７２０を示すが、上昇した血中ブドウ糖レベルを指定するために、灰色背景の代わりに他のカラーおよび／またはパターン（たとえば、信号機カラー方式用の黄色の背景、大きな透かし模様の「注意」、警告サインのイメージ）が使用可能である。ビュー７２０は、血中ブドウ糖レベルが測定された時刻「９：１８ ＰＭ」および現在時刻「９：２０」を示す。ビュー７２０は、「ｍｍｏｌ／Ｌ」とマーク付けされたボタン７１６ｂも含む。ボタン７１６ｂは、選択された時に、１リットル当たりのミリモル（ｍｍｏｌ／Ｌ）値を使用して血中ブドウ糖レベルを表示するように、表示デバイス３５０に命じるように構成可能である。
【００９８】
図７Ｃは、「ｍｍｏｌ／Ｌ」値を使用して測定された「上昇」した血中ブドウ糖レベル「１１．９」を示す、例示のブドウ糖メータのビュー７３０を示す。図７Ｃは、上昇した血中ブドウ糖レベルを示すために黒色の背景カラーを用いたビュー７２０を示すが、高い血中ブドウ糖レベルを指定するために、黒色背景の代わりに他のカラーおよび／またはパターン（たとえば、信号機カラー方式用の赤色の背景、大きな透かし模様の「危険」、サイレンまたは他の非常用装置のイメージ）が使用可能である。ビュー７２０は、血中ブドウ糖レベルが測定された時刻「９：１８ ＰＭ」および現在時刻「９：２０」を示す。
【００９９】
ビュー７３０は、各々「ヘルプに連絡」とマーク付けされたボタン７３２ａ、７３２ｂも含む。ボタン７３２ａおよび７３２ｂは各々、選択された時および表示デバイス３５０に関連付けられた人物によって許可された時に、ヘルプ番号、たとえば救急サービス番号（たとえば９１１）、配偶者、他の親戚、友人、医療サービスなどに電話をかけるか、または他のタイプのメッセージを送るように、表示デバイス３５０に命じるように構成可能である。たとえば、ボタン７３２ａが選択された場合、ヘルプ番号にテキストメッセージを送信すること、および／または電話をかけることが可能である。いくつかの実施形態において、電話呼び出しは、少なくとも呼び出しの自動化部分を含むことができる。さらに他の実施形態では、ヘルプ番号は電子メールアドレスを含み得、ヘルプの呼び出しは、ヘルプ番号と共に含まれる電子メールアドレスへの電子メールを含み得る。
【０１００】
例示のテキスト／電子メールメッセージまたは自動化電話呼び出し（電話呼び出しの自動化部分）用のテキストは、「＜Ｐ１＞が＜Ｘ＞＜Ｙ＞の高血中ブドウ糖読み取り値を有し、ヘルプを求めています。支援をお願いします！」とすることが可能であり、ここで＜Ｐ１＞は表示デバイス３５０に関連付けられた人物の名前、たとえば表示デバイス３５０の所有者に置き換えることが可能であり、＜Ｘ＞は血中ブドウ糖読み取り値、たとえばビュー７３０内の１１．９に置き換えることが可能であり、＜Ｙ＞は血中ブドウ糖読み取り値に使用された測定単位、たとえばビュー７３０内のｍｍｏｌ／Ｌに置き換えることが可能である。いくつかの実施形態において、＜Ｐ１＞は、表示デバイス３５０に関する電話帳掲載番号または他の識別子（たとえばデバイス名、ユーザ名、インターネットプロトコルアドレス）に関係するテキストによって置き換えまたは増補可能であり、たとえば＜Ｐ１＞は、電話番号＜ｐｈｏｎｅｎｏ＞に関連付けられた人の＜ｎａｍｅ＞とすること、または「＜ｐｈｏｎｅｎｏ＞に関連付けられた人物」とすることが可能であり、ここで＜ｎａｍｅ＞は表示デバイス３５０に関連付けられた人物の名前であり、＜ｐｈｏｎｅｎｏ＞は表示デバイス３５０に関連付けられた電話帳掲載番号である。
【０１０１】
いくつかの実施形態において、ヘルプの呼び出しは、表示デバイス３５０に関連付けられた人物によって許可され、さらに血中ブドウ糖レベルが少なくとも所定の期間所定の値を超えたままである場合、自動的に実行され得る。他の実施形態において、ビュー７１０、７２０、および７３０を使用して、血中ブドウ糖レベルの履歴を表示することが可能であり、たとえば血中ブドウ糖メータおよびグラフアプリケーションは、所与の以前の時点または時間範囲に関して記憶された過去の血中ブドウ糖レベルを表示することが可能である。
【０１０２】
図７Ｄは、１時間にわたる血中ブドウ糖レベルのグラフ７４０を備える例示のビューを示す。グラフ７４０は、血中ブドウ糖レベルに関する縦軸７４２ａおよび時間に関する横軸７４２ｂを有する。図７Ｄに示された例では、縦軸７４２ａは、ｍｍｏｌ／Ｌ単位で測定され５．０から６．５の可能範囲を備える血中ブドウ糖レベルを示し、横軸７４２ｂは、８：１５開始から９：１５終了までの時間を示す。図７Ｄは、表示デバイス３５０の現在時刻９：２１も示す。
【０１０３】
グラフ７４０は、灰色域として示された上昇する血中ブドウ糖レベルを示す部分７４４ａと、白色域として示された正常な血中ブドウ糖レベルを示す部分７４４ｂを含む。グラフ７４０のデータ域７４６は、時刻「８：３３」の最高血中ブドウ糖レベル「６．１８」および時刻「８：１５」の最低血中ブドウ糖レベル「５．０３」を示す。図７Ｄに示されていないいくつかの実施形態において、現在および／または平均の血中ブドウ糖レベルを、データ域７４６の一部またはグラフ７４０の別の部分に表示することができる。図７Ｄに示されていない他の実施形態において、グラフィック表示、たとえば温度計式表示を使用して、最低、最高、現在、平均、および／または他の特定の血中ブドウ糖レベルを示すことができる。
【０１０４】
図７Ｄは、選択された時に、ブドウ糖メータを表示する、たとえばビュー７１０、７２０、または７３０のうちの１つを表示するように、表示デバイス３５０に命じるように構成可能な、「メータ」とマーク付けされたボタン７１２ｂを備えるビューを示す。図７Ｄは、「リフレッシュ」とマーク付けされたボタン７４８を備えるビューを示す。ボタン７４８は、選択された時に、グラフ７４０をリフレッシュするか、または、たとえばリーダ１８０からの最も新しく受信されたデータを使用してグラフ７４０を再表示するように、表示デバイス３５０に命じるように構成可能である。
【０１０５】
図７Ｅは、血中ブドウ糖メータおよびグラフアプリケーションに関する値を検討および／または変更するための、「ブドウ糖メータ設定」ビュー７５０を示す。図７Ｅは、測定設定７５２、ヘルプ呼び出し設定７５２、７５４、７５６、７５８、および７６０、グラフ設定７６２〜７７０ｃ、ならびにボタン７１２ａ、７１２ｂ、７７２、および７７４を備える、ビュー７５０を示す。測定設定７５２を使用して、血中ブドウ糖メータおよびグラフアプリケーション用の測定単位、たとえばｍｍｏｌ／Ｌまたはｍｇ／ｄＬを選択することができる。
【０１０６】
ヘルプ呼び出し設定７５４は、少なくとも図７Ｃとの関連において上記で考察した、血中ブドウ糖メータおよびグラフアプリケーションのヘルプ呼び出し機能を、実行可能または実行不可にするように構成される。図７Ｅは、ヘルプ呼び出し機能が現在実行可能であることを示すためのチェックマークを備える、ヘルプ呼び出し設定７５４を示す。自動／手動設定７５６を使用して、ヘルプ呼び出しが表示デバイス３５０によって、たとえば図７Ｃとの関連において上記で考察した１つまたは複数の条件の検出時に、またヒトによるいかなる介入もなしに、自動的に実行されるか、あるいは、たとえばボタン７３２ａまたは７３２ｂなどのボタンの選択時に呼び出しが実行されるように、手動で実行されるかを、選択することができる。テキスト／音声設定を使用して、ヘルプ呼び出しが、たとえばテキストメッセージまたは電子メールなどのテキストベースサービス、および／または音声ベースサービスの、いずれを使用して実行されるかを、選択することができる。図７Ｃに示された例では、「テキスト」設定がチェックされておらず、「音声」設定がチェックされているように示されているため、音声ベースサービスのみを使用してヘルプ呼び出しが実行されることになる。ヘルプ番号７６０を使用して、ヘルプ呼び出しを行うために使用する番号を指定することができる。図７Ｅに示されていないいくつかの実施形態において、ヘルプ電子メールアドレスおよび／または複数のヘルプ番号が指定可能である。
【０１０７】
グラフ持続時間設定７６２を使用して、血中ブドウ糖グラフに関する持続時間を構成することができる。図７Ｅに示された例では１時間が使用されている一方で、他の例では、１５分または３０分などのより短い持続時間が選択可能であるが、これらに限定されず、さらに他の例では、数時間、１日、または数日などのより長い持続時間が選択可能であるが、これらに限定されない。ブドウ糖データ記憶設定７６４を使用して、検討および表示のために血中ブドウ糖データを記憶するために使用される記憶量を割り振ることができる。たとえば、血中ブドウ糖レベルを１日記憶するためのデータがＸメガバイトである場合、図７Ａに示されるように「１週間」のブドウ糖データ記憶を選択すると、表示デバイス３５０に、血中ブドウ糖レベルを記憶するために少なくとも７Ｘメガバイトを割り振らせることが可能である。
【０１０８】
ブドウ糖範囲設定７６６を使用して、いくつかのブドウ糖レベル範囲に対応する血中ブドウ糖値を選択することができる。図７Ｅは、高または高血糖範囲、上昇範囲、正常範囲、低下範囲、および低または低血糖範囲の、５つの例示的なブドウ糖レベル範囲を示す。たとえば図７Ｅは、ライン７６８ｂおよび７６８ｃによって境界が示された上昇範囲を示し、ライン７６８ｂは、「１０．１」ｍｍｏｌ／Ｌの血中ブドウ糖レベル７７０ｂに関連付けられた高血糖範囲と上昇範囲とを分離しており、ライン７６８ｃは、「６．１」ｍｍｏｌ／Ｌの血中ブドウ糖レベル７７０ｃに関連付けられた上昇範囲と正常範囲とを分離している。ｍｍｏｌ／Ｌ値は、測定設定７５２と合致するブドウ糖範囲設定７６６によって使用される。したがってこの例では、６．１から１０．１ｍｍｏｌ／Ｌの間の血中ブドウ糖レベルは上昇範囲内に入る。他の例として、１０．１ｍｍｏｌ／Ｌから最高血中ブドウ糖レベル７７０ａの間の値、すなわち１０．１ｍｍｏｌ／Ｌを超える値は高血糖範囲内にあり、２．８ｍｍｏｌ／Ｌより下の値は低血糖範囲内にある。
【０１０９】
ブドウ糖範囲に関連付けられた血中ブドウ糖レベルを変更するために、ビュー７５０のユーザは、タッチスクリーンまたは他の入力デバイスを使用してブドウ糖範囲を分離するラインを選択した後、ブドウ糖範囲設定７６６内でラインを上下に移動させることができる。たとえば、表示デバイス３５０がタッチスクリーンによって構成される場合、ユーザは、指、スタイラス、または他の選択インジケータを用いてライン７７０ｂを表示するスクリーン表示の一部にタッチすること、および、範囲を調節するために選択インジケータを上下に移動させることによって、ライン７７０ｂを選択することができる。この例では、ユーザは指でライン７７０ｂにタッチし、自分の指を上に移動させて、上昇範囲の上限を１０．１からより高い値、たとえば１１．０ｍｍｏｌ／Ｌに変更するか、または自分の指を下に移動させて、上昇範囲の上限をより低い値、たとえば９．５ｍｍｏｌ／Ｌに変更することが可能である。
【０１１０】
「保存」とマーク付けされたボタン７７２は、選択された時に、ブドウ糖メータ設定ビュー７５０に示された設定を保存するように、表示デバイス３５０に命じるように構成可能である。「終了」とマーク付けされたボタン７７５は、選択された時に、変更された設定値を保存せずに、ブドウ糖メータ設定ビュー７５０および／または血中ブドウ糖メータおよびグラフアプリケーションを終了するように、表示デバイス３５０に命じるように構成可能である。
【０１１１】
ＶＩＩ．例示動作
図８は、例示の方法８００のフローチャートである。方法８００は、リーダ１８０などのリーダ、または、機械可読命令を記憶するコンピュータ可読媒体を備える処理システム３４６の一部などのプロセッサを含むデバイスによって実行可能であり、機械可読命令は、デバイスのプロセッサによって実行された場合、本明細書で方法８００として説明される技法のいくつかまたはすべてをデバイスに実行させるように構成される。
【０１１２】
方法８００はブロック８１０で開始可能である。ブロック８１０では、リーダは、少なくとも図６との関連において上記で考察したように、タグにＲＦ電力を伝送することができる。タグは、眼球装着可能デバイスの一部、たとえば、少なくとも図３との関連において上記でより詳細に考察したような眼球装着可能デバイス２１０のタグ３７０とすることができる。いくつかの実施形態において、リーダは、ＲＦ電力をタグに伝送する時に、少なくとも図５との関連において上記で考察したように、タグから所定の距離内にあるものとすることができる。他の実施形態において、リーダは、少なくとも図５との関連において上記で考察したように、ＨＭＤの一部とすることができる。
【０１１３】
ブロック８２０では、リーダは第１のプロトコルを使用してタグと通信することができる。タグと通信することは、少なくとも図６との関連において上記で考察したように、タグにデータを要求すること、および要求したデータをタグから受信することを含むことができる。いくつかの実施形態において、タグと通信することは、少なくとも図６との関連において上記で考察したように、第１のプロトコルを使用してタグの識別子（ＩＤ）に関する要求を送信すること、および、タグのＩＤに関する要求に応答して、タグのＩＤを含むメッセージを受信することを含むこともできる。
【０１１４】
他の実施形態において、タグにデータを要求することは、少なくとも図６との関連において上記で考察したように、タグに１つまたは複数のセンサ測定を要求することを含むことができる。さらに他の実施形態において、少なくとも図６との関連において上記で考察したように、リーダは、１つまたは複数のセンサ測定を要求する前に、少なくとも所定の期間、ＲＦ電力をタグに伝送することができる。
【０１１５】
ブロック８３０では、少なくとも図６との関連において上記で考察したように、リーダはタグから受信したデータを処理することができる。いくつかの実施形態において、受信したデータを処理することは、少なくとも図６との関連において上記で考察したように、１つまたは複数のセンサ測定に基づいて涙液膜ブドウ糖濃度を決定することを含むことができる。特定の実施形態において、血中ブドウ糖濃度は、少なくとも図１および図６との関連において上記で考察したように、涙液膜ブドウ糖濃度に基づいて決定することができる。他の特定の実施形態において、表示デバイスは、少なくとも図６および図７との関連において上記で考察したように、血中ブドウ糖濃度を表示することができる。
【０１１６】
ブロック８４０では、リーダは、少なくとも図６との関連において上記で考察したように、処理されたデータを記憶することができる。
【０１１７】
ブロック８５０では、リーダは、少なくとも図６との関連において上記で考察したように、第２のプロトコルを使用して表示デバイスと通信することができる。表示デバイスと通信することは、記憶されたデータを表示デバイスに伝送することを含むことができる。第１のプロトコルは第２のプロトコルとは異なり得る。
【０１１８】
いくつかの実施形態において、表示デバイスと通信することは、少なくとも図６との関連において上記で考察したように、記憶されたデータに関する要求を表示デバイスから受信することを含むことができる。他の実施形態において、少なくとも図３および図６との関連において上記で考察したように、第１のプロトコルは無線周波数識別（ＲＦＩＤ）プロトコルとすることが可能であり、第２のプロトコルはＢｌｕｅｔｏｏｔｈプロトコルとすることができる。
【０１１９】
本開示は、様々な態様の例示として意図された、本出願で説明される特定の実施形態に関して限定されるものではない。当業者であれば明らかとなるように、多くの修正および変形は、その趣旨および範囲を逸脱することなく実行可能である。当業者であれば、本明細書に列挙されたものに加えて、本開示の範囲内にある機能的に等価の方法および装置は前述の説明から明らかとなろう。こうした修正および変形は、添付の特許請求の範囲内にあることが意図される。
【０１２０】
上記の詳細な説明は、添付の図面を参照しながら、開示されたシステム、デバイス、および方法の様々な機構および機能を説明している。図面内では、文脈が特に示していない限り、同様の記号は典型的には同様の構成要素を識別している。本明細書および図面内で説明される例示の実施形態は、限定的であることを意図していない。本明細書で提示された主題の趣旨または範囲から逸脱することなく、他の実施形態が使用可能であり、他の変更が実行可能である。本明細書で一般的に説明され図面内に示されるような本開示の態様は、それらのすべてに対して、本明細書で明示的に企図された多種多様な異なる構成で配置構成、置換、組み合わせ、分離、および設計が実施可能であることが容易に理解されよう。
【０１２１】
図面内のはしご図、シナリオ、およびフローチャートのうちのいずれかまたはすべてに関して、および本明細書で考察するように、各ブロックおよび／または通信は、例示の実施形態に従った情報の処理および／または情報の伝送を表すことができる。代替実施形態は、これらの例示の実施形態の範囲内に含められる。これらの代替実施形態において、たとえば、ブロックとして説明される機能、伝送、通信、要求、応答、および／またはメッセージは、関連する機能に応じて、ほぼ同時または逆順を含む、図示または考察された順序とは異なる順序で実行可能である。さらに、より多いかまたはより少ないブロックおよび／または機能を、本明細書で考察するはしご図、シナリオ、およびフローチャートのうちのいずれかで使用可能であり、これらのはしご図、シナリオ、およびフローチャートは、部分的または全体的に互いに組み合わせることができる。
【０１２２】
情報の処理を表すブロックは、本明細書で説明する方法または技法のうちの特定の論理機能を実行するように構成可能な回路に対応することができる。代替または追加として、情報の処理を表すブロックは、モジュール、セグメント、またはプログラムコードの一部（関係データを含む）に対応することができる。プログラムコードは、方法または技法内に特定の論理機能またはアクションを実装するために、プロセッサによって実行可能な１つまたは複数の命令を含むことができる。プログラムコードおよび／または関係データは、ディスクまたはハードドライブあるいは他の記憶媒体を含む記憶デバイスなどの、任意のタイプのコンピュータ可読媒体上に記憶可能である。
【０１２３】
コンピュータ可読媒体は、レジスタメモリ、プロセッサキャッシュ、およびランダムアクセスメモリ（ＲＡＭ）のように、データを短期間記憶するコンピュータ可読媒体などの、非一時的コンピュータ可読媒体を含むこともできる。コンピュータ可読媒体は、たとえば読み取り専用メモリ（ＲＯＭ）、光または磁気ディスク、コンパクトディスク読み取り専用メモリ（ＣＤ−ＲＯＭ）のように、２次または永続性長期ストレージなどの、プログラムコードおよび／またはデータを長期間記憶する、非一時的コンピュータ可読媒体を含むこともできる。コンピュータ可読媒体は、任意の他の揮発性または不揮発性記憶システムとすることもできる。コンピュータ可読媒体は、たとえばコンピュータ可読記憶媒体または有形記憶デバイスとみなすことができる。
【０１２４】
さらに、１つまたは複数の情報伝送を表すブロックは、同じ物理デバイス内のソフトウェアおよび／またはハードウェアモジュール間での情報伝送に対応することができる。しかしながら、他の情報伝送は、異なる物理デバイス内のソフトウェアモジュールおよび／またはハードウェアモジュール間とすることができる。
【０１２５】
図面内に示される特定の配置構成は、限定的とみなすべきではない。他の実施形態は、所与の図面に示されたよりも多いかまたは少ない各要素を含むことができることを理解されたい。さらに、図示された要素のうちのいくつかは、組み合わせるかまたは省略することができる。さらに例示の実施形態は、図面に示されていない要素を含むことができる。
【０１２６】
本明細書で一般的に説明され、図面内に示された本開示の態様に対して、本明細書でそれらのすべてが明示的に企図された、多種多様な異なる構成で配置構成、置換、組み合わせ、分離、および設計が実施可能であることが容易に理解されよう。本明細書において様々な態様および実施形態について説明してきたが、当業者であれば他の態様および実施形態が明らかとなろう。
【０１２７】
上記では、例示的な方法およびシステムを説明した。「例示」および「例示的」という単語は、本明細書では「例、インスタンス、または例示として働くこと」を意味するために使用されることを理解されよう。本明細書で「例示」または「例示的」であるとして説明されたいずれの実施形態または特徴も、必ずしも他の実施形態または特徴よりも好ましいかまたは有利であるものと解釈されるものではない。本明細書では、その一部を形成する添付の図面を参照している。図面内では、文脈が特に示していない限り、同様の記号は通常同様の構成要素を識別している。本明細書で提示された主題の趣旨または範囲を逸脱することなく、他の実施形態が使用可能であり、他の変更が実行可能である。本明細書で開示された様々な態様および実施形態は、例示のためのものであり、限定的であるとは意図されず、真の範囲および趣旨は以下の特許請求の範囲によって示されている。
【図１】
2018015563.tif 000004
【図２Ａ】
2018015563.tif 000005
【図２Ｂ】
2018015563.tif 000006
【図２Ｃ】
2018015563.tif 000007
【図２Ｄ】
2018015563.tif 000008
【図３】
2018015563.tif 000009
【図４Ａ】
2018015563.tif 000010
【図４Ｂ】
2018015563.tif 000011
【図５】
2018015563.tif 000012
【図６】
2018015563.tif 000013
【図７Ａ】
2018015563.tif 000014
【図７Ｂ】
2018015563.tif 000015
【図７Ｃ】
2018015563.tif 000016
【図７Ｄ】
2018015563.tif 000017
【図７Ｅ】
2018015563.tif 000018
【図８】
2018015563.tif 000019
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
電気化学バイオセンサを有する身体装着デバイスにおいて、モバイルリーダデバイスからの問い合わせメッセージを受信すること、
前記問い合わせメッセージの受信に応答して、論理回路を介して前記身体装着デバイスの動作モードを制御すること、
前記身体装着デバイス上のアンテナを介して、無線周波数エネルギーを採取すること、
前記動作モードに基づき、前記採取された無線周波数エネルギーを１つまたは複数の構成要素に別々に印加すること、
前記電気化学バイオセンサからのアンペロメトリック電流測定値を定量化することであって、前記アンペロメトリック電流測定値は人の検体レベルを示す、定量化すること、および、
前記定量化されたセンサ測定値に基づく検体濃度データを、前記人と相互作用し、かつ、クラウドデータ収集アプリケーションを実行するコンピュータサーバに前記検体濃度データを転送するために、モバイルリーダデバイスに送信すること、を含む、
方法。
【請求項２】
前記採取された無線周波数エネルギーを印加することは、前記採取された無線周波数エネルギーを直流（ＤＣ）電圧に整流することを含む、請求項１に記載の方法。
【請求項３】
前記採取された無線周波数エネルギーを印加することは、前記採取された無線周波数エネルギーを前記電気化学センサに印加することを含む、請求項１に記載の方法。
【請求項４】
前記採取された無線周波数エネルギーを印加することは、前記採取された無線周波数エネルギーを、前記論理回路および前記電気化学センサの両方に印加することを含む、請求項１に記載の方法。
【請求項５】
前記動作モードは、（ａ）前記採取された無線周波数エネルギーが前記アンペロメトリック電流測定値および通信機器に電力を供給するために印加される、アクティブ測定モードと、（ｂ）前記採取された無線周波数エネルギーが、前記電気化学センサのセンサ電極間に印加するバイアス電圧を発生させるために印加される、スタンバイモードと、のうちの少なくとも１つを含む、請求項１に記載の方法。
【請求項６】
身体装着デバイスであって、
電気化学バイオセンサと、
モバイルリーダデバイスと通信するように構成された通信電子機器と、
前記身体装着デバイスの動作モードを制御し、前記電気化学バイオセンサからのアンペロメトリック電流測定値を定量化するように構成された論理回路であって、前記アンペロメトリック電流測定値は人の検体レベルを示す、論理回路と、
アンテナを有するエネルギー採取システムであって、無線周波数エネルギーを採取し、かつ、前記動作モードに基づき、前記採取された無線周波数エネルギーを１つまたは複数の構成要素に別々に印加するように構成される、エネルギー採取システムと、を備える、
身体装着デバイス。
【請求項７】
前記通信電子機器は、前記定量化されたセンサ測定値に基づく検体濃度データを、前記人と相互作用し、かつ、クラウドデータ収集アプリケーションを実行するコンピュータサーバに前記検体濃度データを転送するために、モバイルリーダデバイスに送信するようにさらに構成される、請求項６に記載の身体装着デバイス。
【請求項８】
前記動作モードは、（ａ）前記採取された無線周波数エネルギーが前記アンペロメトリック電流測定値および通信機器に電力を供給するために印加される、アクティブ測定モードと、（ｂ）前記採取された無線周波数エネルギーが、前記電気化学センサのセンサ電極間に印加するバイアス電圧を発生させるために印加される、スタンバイモードと、のうちの少なくとも１つを含む、請求項６に記載の身体装着デバイス。
【請求項９】
前記通信電子機器は、前記モバイルリーダデバイスからの問い合わせメッセージを受信して、前記定量化されたセンサ測定値に基づく検体濃度データを送信するようにさらに構成される、請求項６に記載の身体装着デバイス。
【請求項１０】
前記エネルギー採取システムは、前記採取された無線周波数エネルギーを、前記論理回路および前記電気化学センサの両方に印加するように構成される、請求項６に記載の身体装着デバイス。
【請求項１１】
ワイヤレスプロトコルを介して、ディスプレイを有するモバイルデバイスから、人の検体レベルを示す電気化学センサ測定値に基づく検体濃度データを身体装着デバイスに問い合わせることと、
前記モバイルデバイスによって、前記身体装着デバイスとクラウドデータ収集アプリケーションを実行するコンピュータサーバとの間で前記検体濃度データをブリッジすることと、
前記モバイルデバイスによって、前記検体濃度データと、範囲閾値のセットと比較して、前記人の前記検体レベルが入る特有の範囲を特定することと、
前記特有の範囲の特定に応答して、フィードバックアクションを選択することと、
前記モバイルデバイスにおいて、前記フィードバックアクションを示すことと、を含む、
方法。
【請求項１２】
前記比較することは、直前の前記検体レベルが入る前記特有の範囲を特定することを含む、請求項１１に記載の方法。
【請求項１３】
前記フィードバックアクションを示すことは、前記モバイルデバイスにおいて警告を示すことを含む、請求項１１に記載の方法。
【請求項１４】
前記フィードバックアクションを示すことは、前記モバイルデバイスにおいて、触覚フィードバックを利用することを含む、請求項１１に記載の方法。
【請求項１５】
前記モバイルデバイス上にユーザインターフェースを示すことと、
前記ユーザインターフェースを介したユーザ選択に基づいて、前記範囲閾値のセットの少なくとも一部を調節することと、をさらに含む、
請求項１１に記載の方法。
【請求項１６】
前記モバイルデバイスの前記ディスプレイを介して、前記フィードバックアクションが前記ディスプレイ上に示された現在時刻と、前記特定された特有の範囲内の前記検体レベルに対応する測定時間とを示すことをさらに含む、請求項１１に記載の方法。
【請求項１７】
前記フィードバックアクションは聴覚性であり、前記方法は、
前記モバイルデバイスのスピーカを介して、前記フィードバックアクションが行われた現在時刻と、前記特定された特有の範囲内の前記検体レベルに対応する測定時間とを示すことをさらに含む、
請求項１１に記載の方法。
【請求項１８】
前記フィードバックアクションは、前記モバイルデバイスの前記ディスプレイ上のユーザインターフェースの背景内に表示された透かし画像である、請求項１１に記載の方法。
【請求項１９】
前記フィードバックアクションを示すことは、前記人にインシュリンを投与するようにインシュリンポンプに命じることを含む、請求項１１に記載の方法。
【請求項２０】
前記身体装着デバイスに連続的に電力を供給することなく、前記モバイルデバイス内に検体濃度測定値のセットを経時的に累積することをさらに含む、請求項１１に記載の方法。
【外国語明細書】
2018015563000001.pdf